(57)【特許請求の範囲】
【請求項１】
液晶層を挟持する第１の基板及び第２の基板と、
前記第１の基板上に設けられたトランジスタと、第１の画素電極と、第１の共通電極と、
前記第２の基板上に設けられた第２の画素電極と、第２の共通電極と、
前記第１の基板上に設けられた第１の凸状構造体と、を有し、
前記第１の画素電極は、前記トランジスタと電気的に接続され、
前記第１の画素電極は、前記第２の画素電極と電気的に接続され、
前記第１の画素電極は、前記第２の画素電極と接する第１の部分を有し、
前記第１の部分は、前記第１の凸状構造体と重なり、
前記第１の部分において、前記第１の凸状構造体上に前記第１の画素電極が位置することで、前記第１の画素電極は前記第２の画素電極と接することを特徴とする液晶表示装置。
【請求項２】
液晶層を挟持する第１の基板及び第２の基板と、
前記第１の基板上に設けられたトランジスタと、第１の画素電極と、第１の共通電極と、
前記第２の基板上に設けられた第２の画素電極と、第２の共通電極と、
前記第１の基板上に設けられた第１の凸状構造体と、
前記第１の基板上に設けられた第２の凸状構造体と、を有し、
前記第１の画素電極は、前記トランジスタと電気的に接続され、
前記第１の画素電極は、前記第２の画素電極と電気的に接続され、
前記第１の共通電極は、前記第２の共通電極と電気的に接続され、
前記第１の画素電極は、前記第２の画素電極と接する第１の部分を有し、
前記第１の部分は、前記第１の凸状構造体と重なり、
前記第１の部分において、前記第１の凸状構造体上に前記第１の画素電極が位置することで、前記第１の画素電極は前記第２の画素電極と接し、
前記第１の共通電極は、前記第２の共通電極と接する第２の部分を有し、
前記第２の部分は、前記第２の凸状構造体と重なり、
前記第２の部分において、前記第２の凸状構造体上に前記第１の共通電極が位置することで、前記第１の共通電極は前記第２の共通電極と接することを特徴とする液晶表示装置。
【発明の詳細な説明】
【技術分野】
【０００１】
開示される発明の一態様は、液晶表示装置及びその作製方法に関する。
【背景技術】
【０００２】
液晶表示装置は、テレビ受像機などの大型表示装置から携帯電話などの小型表示装置に至るまで、普及が進んでいる。近年では高画質化、高付加価値化を図るために、ブルー相の液晶相を有する液晶材料（以下、ブルー相液晶という）が注目されている。ブルー相液晶は、電界に対する応答速度が従来の液晶材料に比較して非常に優れており、立体視（３Ｄ）映像等の高いフレーム周波数での駆動が必要な液晶表示装置での利用が研究されている（特許文献１参照）。
【０００３】
上述のブルー相液晶を駆動する方式として、同一基板上に画素電極及び共通電極を設け、当該画素電極及び共通電極間で横方向電界を発生させ、発生した横方向電界を用いて液晶分子を駆動させる方式が用いられている（特許文献１及び特許文献２参照）。なお本明細書において、横方向電界とは、画素電極と共通電極間に印加される電界であり、基板面に平行方向に印加される電界を指す。また、本明細書では基板面に垂直方向に印加される電界を縦方向電界と称する。
【先行技術文献】
【特許文献】
【０００４】
【特許文献１】特開２００７−２７１８３９号公報
【特許文献２】特開２００５−２２７７６０号公報
【発明の概要】
【発明が解決しようとする課題】
【０００５】
特許文献１及び特許文献２には、駆動電圧を低減させるため、当該画素電極及び共通電極間の一方を凸状構造体の上に設けることが記載されている。このように、当該画素電極及び共通電極間の一方を凸状構造体の上方、つまり凸構造体の上面部に設けると、横方向電界の強度が強くなるため、駆動電圧が低減できる。
【０００６】
しかしながらこのような凸状構造体を横方向電界が発生する領域に設けると、凸状構造体と液晶との間で生じる液晶の配向の乱れや、凸状構造体のテーパ角の影響や、凸状構造体材料と画素電極材料の屈折率差や、凸状構造体材料と共通電極材料の屈折率差等により光漏れを生じる。
【０００７】
さらに、当該凸状構造体が誘電体で形成され周期的に配置される場合は、当該凸状構造体を有する部分を通過する光と、凸状構造体の無い部分を通過する光との間で、光の位相にズレが生じ、光の出力の偏光状態が変化する可能性がある。またこれに伴う光漏れも生じる恐れがある。この場合、凸状構造体の高さが高いほど影響が大きい。
【０００８】
また当該凸状構造体を非透光性導電体、例えば金属で形成した場合、もしくは画素電極や共通電極自体を凸状の金属で形成した場合、凸状の金属が規則的に配置されるため、電極幅や、電極間隔や、電極の膜厚に依存して、光学的な偏光作用が生じる。このような光学的な偏光作用が生じると、液晶表示装置に光漏れが生じ、その結果コントラスト比が低下してしまう。
【０００９】
以上を鑑み、開示される発明の一態様では、ブルー相を示す液晶層を使用した液晶表示装置において、駆動電圧を低減させ、かつコントラスト比の低下を抑制することを課題の一とする。
【課題を解決するための手段】
【００１０】
第１の基板と第２の基板とでブルー相を示す液晶層を挟持し、複数の画素がマトリクス状に配置されているアクティブマトリクス型の液晶表示装置において、各画素ごとにトランジスタと、画素電極、液晶層及び共通電極で構成される液晶素子とが配置されている。
【００１１】
画素電極及び共通電極は、様々な開口パターン（スリット）を有し、画素電極及び共通電極は、屈曲部や枝分かれした櫛歯状を含む平面形状である。例えば、画素電極及び共通電極が有する形状としては、櫛歯状のようなパターンを用いることができる。この場合、画素電極と共通電極とは互いの櫛歯状のパターンがかみ合うように設けることができる。
【００１２】
開示される発明の一態様では、画素電極及び共通電極を、第１の基板側及び対向基板（第２の基板）側にも設ける。第１の基板側の第１の画素電極及び第２の基板側の第２の画素電極、並びに、第１の基板側の第１の共通電極及び第２の基板側の第２の共通電極は、それぞれ平面図でみるとほぼ同形状であり液晶層を介して重畳するように配置される。
【００１３】
横方向電界は、電極から高さ方向（基板面と垂直方向）に離れると電界の強度が弱くなる。例えば、第１の画素電極及び第１の共通電極の間に形成される横方向電界は、第１の基板に近い領域では強度が強いが、高さ方向に離れる、すなわち第２の基板に近づくほどその強度が弱くなる。
【００１４】
そのため、第２の基板側にも第２の画素電極及び第２の共通電極を設けて、これらの電極間にも横方向電界を形成する。
【００１５】
これにより第１の画素電極及び第１の共通電極の間に形成される横方向電界が、高さ方向に離れる（第２の基板に近づく）ほど強度が弱くなっても、第２の画素電極及び第２の共通電極との間に形成される横方向電界によって、これらの基板に設けられた画素電極及び共通電極間の広い領域に渡って均一な横方向電界を形成することが可能となる。
【００１６】
つまり、基板間に設けられた液晶層に対して、基板面と垂直方向に、均一かつ効率的に電界を印加することができる。そのため、複屈折の変化を有効に利用することができる。これにより、液晶層を駆動するために必要な駆動電圧を下げることが可能となる。
【００１７】
開示される発明の一態様では、横方向電界を発生させる画素電極及び共通電極の下に凸状構造体を形成しないため、横方向電界を通過する光に対して不要な光の変調成分を生じさせることがない。そのため、黒表示において光漏れの少ない構造とすることができる。これにより、コントラスト比の低下を抑制することができる。
【００１８】
かつ開示される発明の一態様では、第１の画素電極及び第２の画素電極は電気的に接続される。これにより１つのトランジスタにより第１の画素電極及び第２の画素電極を駆動することができ、液晶表示装置の消費電力を低減できる。
【００１９】
このように、第１の画素電極及び第２の画素電極を駆動するためのトランジスタは、画素内に１つ設ければよいので、第１の画素電極と第２の画素電極を別々に駆動する場合と比較して作製工程数が抑制できる。そのため、液晶表示装置の作製工程数を抑制し、作製コストを低減させることができる。
【００２０】
また第１の共通電極及び第２の共通電極も、画素電極と同様に電気的に接続すると、第１の共通電極及び第２の共通電極の電気抵抗が低減され、駆動電圧が低減される。これにより液晶表示装置の消費電力を低減することができる。
【００２１】
開示される発明の一態様は、ブルー相を示す液晶層を挟持する第１の基板及び第２の基板と、当該第１の基板上に設けられたトランジスタと、第１の画素電極および第１の共通電極と、当該第２の基板上に設けられた第２の画素電極および第２の共通電極と、を有し、当該第１の画素電極は、当該トランジスタと電気的に接続され、当該第１の画素電極は、当該第２の画素電極と電気的に接続されていることを特徴とする液晶表示装置に関する。
【００２２】
開示される発明の一態様は、ブルー相を示す液晶層を挟持する第１の基板及び第２の基板と、当該第１の基板上に設けられたトランジスタと、第１の画素電極および第１の共通電極と、当該第２の基板上に設けられた第２の画素電極および第２の共通電極と、を有し、当該第１の画素電極は、当該トランジスタと電気的に接続され、当該第１の画素電極は、当該第２の画素電極と電気的に接続され、当該第１の共通電極は、当該第２の共通電極と電気的に接続されていることを特徴とする液晶表示装置に関する。
【００２３】
開示される発明の一態様において、当該第１の基板と当該第２の基板の間にスペーサとして機能する凸状構造体が設けられ、当該凸状構造体を覆う当該第１の画素電極の一部と当該第２の画素電極の一部が接することにより、当該第１の画素電極及び当該第２の画素電極は電気的に接続されていることを特徴とする。
【００２４】
開示される発明の一態様において、遮光性の層が当該第１の基板上に設けられ、当該凸状構造体が当該遮光性の層と重畳して設けられていることを特徴とする。
【００２５】
開示される発明の一態様において、当該第１の基板と当該第２の基板の間にスペーサとして機能する凸状構造体が設けられ、当該凸状構造体を覆う当該第２の画素電極の一部と当該第１の画素電極の一部が接することにより、当該第１の画素電極及び当該第２の画素電極は電気的に接続されていることを特徴とする。
【００２６】
開示される発明の一態様において、遮光性の層が当該第１の基板上に設けられ、当該凸状構造体が当該遮光性の層と重畳して設けられていることを特徴とする。
【００２７】
開示される発明の一態様において、当該第１の基板と当該第２の基板の間にスペーサとして機能する凸状構造体が設けられ、当該凸状構造体を覆う当該第１の共通電極の一部と当該第２の共通電極の一部が接することにより、当該第１の共通電極及び当該第２の共通電極は電気的に接続されていることを特徴とする。
【００２８】
開示される発明の一態様において、遮光性の層が当該第１の基板上に設けられ、当該凸状構造体が当該遮光性の層と重畳して設けられていることを特徴とする。
【００２９】
開示される発明の一態様において、当該第１の基板と当該第２の基板の間にスペーサとして機能する凸状構造体が設けられ、当該凸状構造体を覆う当該第２の共通電極の一部と当該第１の共通電極の一部が接することにより、当該第１の共通電極及び当該第２の共通電極は電気的に接続されていることを特徴とする。
【００３０】
開示される発明の一態様において、遮光性の層が当該第１の基板上に設けられ、当該凸状構造体が当該遮光性の層と重畳して設けられていることを特徴とする。
【００３１】
開示される発明の一態様において、当該第１の基板と当該第２の基板の間にスペーサとして機能する第１の凸状構造体及び第２の凸状構造体が設けられ、当該第１の凸状構造体を覆う当該第１の画素電極の一部と、当該第２の凸状構造体を覆う第２の画素電極の一部が接することにより、当該第１の画素電極及び当該第２の画素電極は電気的に接続されていることを特徴とする。
【００３２】
開示される発明の一態様において、遮光性の層が当該第１の基板上に設けられ、当該第１の凸状構造体及び当該第２の凸状構造体が当該遮光性の層と重畳して設けられていることを特徴とする。
【００３３】
開示される発明の一態様において、当該第１の基板と当該第２の基板の間にスペーサとして機能する第３の凸状構造体及び第４の凸状構造体を有し、当該第３の凸状構造体を覆う当該第１の共通電極の一部と、当該第４の凸状構造体を覆う第２の共通電極の一部が接することにより、当該第１の共通電極及び当該第２の共通電極は電気的に接続されていることを特徴とする。
【００３４】
開示される発明の一態様において、遮光性の層が当該第１の基板上に設けられ、当該第３の凸状構造体及び当該第４の凸状構造体が当該遮光性の層と重畳して設けられていることを特徴とする。
【００３５】
開示される発明の一態様において、当該第１の画素電極、当該第１の共通電極、当該第２の画素電極、当該第２の共通電極は、櫛歯状の領域を有することを特徴とする。
【００３６】
開示される発明の一態様において、当該第１の基板と当該第２の基板の間にスペーサとして機能する凸状構造体が設けられ、当該凸状構造体は、当該櫛歯状の領域が延伸する方向に延伸しており、当該凸状構造体を覆う当該第１の画素電極の一部と当該第２の画素電極の一部が接することにより、当該第１の画素電極及び当該第２の画素電極は電気的に接続されていることを特徴とする。
【００３７】
開示される発明の一態様において、遮光性の層が当該第１の基板上に設けられ、当該凸状構造体が当該遮光性の層と重畳して設けられていることを特徴とする。
【００３８】
開示される発明の一態様において、当該第１の基板と当該第２の基板の間にスペーサとして機能する凸状構造体が設けられ、当該凸状構造体は、当該櫛歯状の領域が延伸する方向に延伸しており、当該凸状構造体を覆う当該第２の画素電極の一部と当該第１の画素電極の一部が接することにより、当該第１の画素電極及び当該第２の画素電極は電気的に接続されていることを特徴とする。
【００３９】
開示される発明の一態様において、遮光性の層が当該第１の基板上に設けられ、当該凸状構造体が当該遮光性の層と重畳して設けられていることを特徴とする。
【００４０】
開示される発明の一態様において、当該第１の基板と当該第２の基板の間にスペーサとして機能する凸状構造体が設けられ、当該凸状構造体は、当該櫛歯状の領域が延伸する方向に延伸しており、当該凸状構造体を覆う当該第１の共通電極の一部と当該第２の共通電極の一部が接することにより、当該第１の共通電極及び当該第２の共通電極は電気的に接続されていることを特徴とする。
【００４１】
開示される発明の一態様において、遮光性の層が当該第１の基板上に設けられ、当該凸状構造体が当該遮光性の層と重畳して設けられていることを特徴とする。
【００４２】
開示される発明の一態様において、当該第１の基板と当該第２の基板の間にスペーサとして機能する凸状構造体が設けられ、当該凸状構造体は、当該櫛歯状の領域が延伸する方向に延伸しており、当該凸状構造体を覆う当該第２の共通電極の一部と当該第１の共通電極の一部が接することにより、当該第１の共通電極及び当該第２の共通電極は電気的に接続されていることを特徴とする。
【００４３】
開示される発明の一態様において、遮光性の層が当該第１の基板上に設けられ、当該凸状構造体が当該遮光性の層と重畳して設けられていることを特徴とする。
【００４４】
なお、第１、第２として付される序数詞は便宜上用いるものであり、工程順又は積層順を示すものではない。また、本明細書において発明を特定するための事項として固有の名称を示すものではない。
【発明の効果】
【００４５】
開示される発明の一態様により、ブルー相を示す液晶相を使用した液晶表示装置において、駆動電圧を低減させ、かつコントラスト比の低下を抑制することができる。
【図面の簡単な説明】
【００４６】
【図１】液晶表示装置の上面図。
【図２】液晶表示装置の断面図。
【図３】液晶表示装置の断面図。
【図４】液晶表示装置の作製工程を示す断面図。
【図５】液晶表示装置の作製工程を示す断面図。
【図６】液晶表示装置の作製工程を示す断面図。
【図７】液晶表示装置の上面図。
【図８】液晶表示装置の断面図。
【図９】液晶表示装置の上面図。
【図１０】液晶表示装置の断面図。
【図１１】液晶表示装置の上面図。
【図１２】液晶表示装置の断面図。
【図１３】液晶表示装置の上面図。
【図１４】液晶表示装置の上面図。
【図１５】液晶表示装置の上面図。
【図１６】液晶表示装置の上面図。
【図１７】液晶表示装置の上面図。
【図１８】液晶表示装置の断面図。
【図１９】液晶表示装置の上面図。
【図２０】液晶表示装置の断面図。
【図２１】液晶表示装置の上面図。
【図２２】液晶表示装置の上面図。
【図２３】液晶表示装置の上面図。
【図２４】液晶表示装置の上面図。
【図２５】液晶表示装置の上面図。
【図２６】液晶表示装置の上面図。
【図２７】液晶表示装置の断面図。
【図２８】液晶表示装置の断面図及び上面図。
【図２９】液晶表示装置の上面図。
【図３０】液晶表示装置の上面図。
【図３１】液晶表示装置の上面図。
【図３２】液晶パネルの上面図及び断面図。
【図３３】液晶モジュールの斜視図。
【図３４】電子機器の例を示す図。
【図３５】電子機器の例を示す図。
【図３６】液晶表示装置の上面図。
【図３７】電子機器の例を示す図。
【図３８】液晶表示装置の上面図。
【図３９】ブルー相を示す液晶について説明する図。
【発明を実施するための形態】
【００４７】
以下、本明細書に開示された発明の実施の態様について、図面を参照して説明する。但し、本明細書に開示された発明は多くの異なる態様で実施することが可能であり、本明細書に開示された発明の趣旨及びその範囲から逸脱することなくその形態及び詳細を様々に変更し得ることは当業者であれば容易に理解される。従って、本実施の形態の記載内容に限定して解釈されるものではない。なお、以下に示す図面において、同一部分又は同様な機能を有する部分には同一の符号を付し、その繰り返しの説明は省略する。
【００４８】
なお本明細書に開示された発明において、半導体装置とは、半導体を利用することで機能する素子及び装置全般を指し、電子回路、表示装置、発光装置等を含む電気装置およびその電気装置を搭載した電子機器をその範疇とする。
【００４９】
［実施の形態１］
図１（Ａ）は、本実施の形態の液晶表示装置の第１の基板側の上面図、図１（Ｂ）は、本実施の形態の液晶表示装置の第２の基板側の上面図であり、それぞれ１画素分の画素を示している。図２は図１（Ａ）のＡ−Ｂの断面図、図３は図１（Ａ）のＣ−Ｄの断面図である。
【００５０】
なお本実施の形態では、基板上に電極や配線が設けられているが、電極や配線が重畳している様を明確にするために、図１（Ａ）では、電極や配線側から基板を見たときの上面図、図１（Ｂ）では、基板側から電極や配線を見たときの上面図とする。
【００５１】
図１（Ａ）において、複数のソース配線層である配線層４０３が互いに平行（図中上下方向に延伸）かつ互いに離間した状態で配置されている。複数のゲート配線層４０１（ゲート電極層を含む）は、ソース配線層である配線層４０３に略直交する方向（図中左右方向）に延伸し、かつ互いに離間するように配置されている。
【００５２】
容量配線層４０９は、ゲート配線層４０１及びソース配線層である配線層４０３それぞれに平行な方向に延伸している。ソース配線層である配線層４０３と、容量配線層４０９及びゲート配線層４０１とによって、略長方形の空間が囲まれているが、この空間に液晶表示装置の第１の画素電極である画素電極４０５、第１の共通電極である共通電極４０６が、液晶層４４７を介して配置されている（図２参照）。画素電極４０５を駆動するトランジスタ４２０は、図１（Ａ）中右下の角に配置されている。トランジスタ４２０は、ゲート配線層４０１及びソース配線層である配線層４０３の交点にマトリクス状に複数配置されている。
【００５３】
画素電極４０５及び共通電極４０６は、上面から見た形状が様々な開口パターン（スリット）を有し、屈曲部や枝分かれした櫛歯状を含む形状である。画素電極４０５及び共通電極４０６が屈曲部や枝分かれした櫛歯状を含む形状である場合、画素電極４０５と共通電極４０６とは互いの櫛歯状のパターンがかみ合うように同一の絶縁表面（例えば同一基板や同一絶縁膜）に設けられる。画素電極４０５及び共通電極４０６の櫛歯状のパターンが互いにかみ合う領域では、画素電極４０５の櫛歯状のパターン及び共通電極４０６の櫛歯状のパターンとの間は、０．５μｍ以上２０μｍ以下、好ましくは１μｍ以上５μｍ以下が好ましい。なお以下に説明する本実施の形態及び他の実施の形態においても、画素電極の櫛歯状のパターン及び共通電極の櫛歯状のパターンの距離は上記の範囲であることが好ましい。
【００５４】
図１（Ｂ）は、第２の基板側の第２の画素電極である画素電極４１５、第２の共通電極である共通電極４１６を示している。画素電極４０５と共通電極４０６と同様に、画素電極４１５と共通電極４１６とは互いの櫛歯状のパターンがかみ合うように同一の絶縁表面（例えば同一基板や同一絶縁膜）に設けられている。かつ、画素電極４１５及び共通電極４１６は、画素電極４０５及び共通電極４０６とそれぞれ平面図で見るとほぼ同形状である。さらに画素電極４０５及び画素電極４１５、並びに、共通電極４０６及び共通電極４１６は、それぞれ液晶層４４７を挟んで重畳している。
【００５５】
第１の画素電極である画素電極４０５、及び、第１の共通電極である共通電極４０６の間には第１の横方向電界が形成される。当該第１の横方向電界は、高さ方向に離れる（第２の基板４４２に近づく）ほど強度が弱くなってしまう。第２の画素電極である画素電極４１５、及び、第２の共通電極である共通電極４１６との間に第２の横方向電界が形成される。以上により、画素電極及び共通電極間の広い領域に渡って均一な横方向電界を形成することが可能となる。
【００５６】
なお本明細書では、第１の横方向電界を形成する第１の画素電極及び第１の共通電極、並びに、第２の横方向電界を形成する第２の画素電極及び第２の共通電極は、それぞれ同一表面上に形成されている。しかし、第１の横方向電界及び第２の横方向電界がそれぞれ形成されるのであれば、第１の画素電極及び第１の共通電極、並びに、第２の画素電極及び第２の共通電極がそれぞれ設けられる位置は、同一表面上でなくてもよい。
【００５７】
また図１（Ａ）において画素電極４０５及び共通電極４０６をそれぞれ同一の導電膜で形成したが、これに限定されず、画素電極４０５（又は共通電極４０６）の配線領域と櫛歯状領域を異なる導電膜で形成してもよい。図３８（Ａ）は、配線４０５ｂ及び櫛歯状の電極４０５ａから構成される画素電極４０５を示している。同様に、図３８（Ｂ）は、配線４０６ｂ及び櫛歯状の電極４０６ａから構成される共通電極４０６を示している。さらに、画素電極４１５及び共通電極４１６においても、配線領域と櫛歯状領域を異なる導電膜で形成してもよい。
【００５８】
横方向電界の高さ方向の電界強度を強めることで、基板面と垂直方向に、均一かつ効率的に電界を印加することができる。
【００５９】
横方向電界が発生する画素電極４０５及び共通電極４０６、並びに、画素電極４１５及び共通電極４１６の下に凸状構造体を形成することがないので、コントラスト比の低下を抑制し、かつ横方向電界の強度を強めることができる。
【００６０】
また図１（Ａ）及び図２に示すように、第１の基板４４１上に設けられた画素電極４０５の一部の領域の下には、凸状構造体（本明細書では「リブ」ともいう）４０７が形成されている。当該画素電極４０５の一部は凸状構造体４０７を覆っている。凸状構造体４０７を覆う画素電極４０５の一部は、第２の基板４４２上に設けられた画素電極４１５の一部に接している。これにより、画素電極４０５と画素電極４１５を電気的に接続することができる。画素電極４０５と画素電極４１５を電気的に接続することができるので、画素電極４０５と画素電極４１５を別々に駆動することなく、トランジスタ４２０のみで画素電極４０５と画素電極４１５を駆動することができる。トランジスタ４２０のみで画素電極４０５と画素電極４１５を駆動することができるので、液晶表示装置の消費電力を低減できる。また液晶表示装置の作製工程を低減させ、作製コストを削減することができる。
【００６１】
同様に、第１の基板４４１上に設けられた凸状構造体４０８を覆って、共通電極４０６の一部が設けられている。凸状構造体４０８を覆う共通電極４０６の一部は、第２の基板４４２上に設けられた共通電極４１６の一部に接している。これにより、共通電極４０６と共通電極４１６を電気的に接続することができる。共通電極４０６と共通電極４１６を電気的に接続することができるので、共通電極４０６の抵抗と共通電極４１６の抵抗を低減することができる。これにより、共通電極４０６と共通電極４１６の駆動電圧を下げることができ、液晶表示装置の消費電力を低減できる。
【００６２】
ただし、第１の基板４４１に設けられた共通電極及び第２の基板４４２に設けられた共通電極は、必ずしも画素内で接しなくてもよい。第１の基板４４１に設けられた共通電極及び第２の基板４４２に設けられた共通電極は、画素以外の領域で電気的に接続されていても構わない。なおこれは本実施の形態に限らず、他の実施の形態においても同様である。
【００６３】
なお凸状構造体４０７及び凸状構造体４０８は、それぞれ画素電極４０５の櫛歯状領域、共通電極４０６の櫛歯状領域、画素電極４１５の櫛歯状領域、共通電極４１６の櫛歯状領域を挟んで互いに離間するように配置されている。すなわち、横方向電界を発生させる画素電極及び共通電極、並びに、凸状構造体４０７及び凸状構造体４０８は重畳しないように配置する。これにより、凸状構造体４０７及び凸状構造体４０８は、液晶分子が横方向電界に配向するのを妨げない。
【００６４】
凸状構造体４０７及び凸状構造体４０８は、それぞれ容量配線層４０９及びゲート配線層４０１と重畳する領域に設けられている。容量配線層４０９及びゲート配線層４０１は光を遮蔽するので、凸状構造体４０７及び凸状構造体４０８およびその周辺部は光を透過しない。これにより、光学的な偏光作用が生じず、液晶表示装置のコントラスト比は低下しない。
【００６５】
なお本実施の形態では、凸状構造体４０７及び凸状構造体４０８が、それぞれ容量配線層４０９及びゲート配線層４０１と重畳する領域に設けられることによって、凸状構造体４０７及び凸状構造体４０８を遮光する膜を別の工程で作製しなくてもよいという効果が得られた。しかしながら、もし必要があれば、凸状構造体４０７及び凸状構造体４０８を遮光する膜を第２の基板４４２側に設けてもよい。また必要であれば他の凸状構造体の遮光膜も、当該凸状構造体が設けられている基板でなく、対向する基板に設けてもよい。さらにこれは本実施の形態だけでなく、他の実施の形態においても同様である。
【００６６】
図１（Ａ）及び図３に示すように、画素電極４０５には、トランジスタ４２０の半導体層４０２と電気的に接続する配線層４０３又は配線層４０４を介して、画像信号の電位が印加される。画素電極４１５には、上述のように凸状構造体４０７を覆って形成された画素電極４０５の一部を介して、画像信号の電位が印加される。
【００６７】
一方、液晶素子の共通電極４０６には、画素電極に供給される画像信号の電位に対して基準となる固定電位（一例としてはグラウンド電位（接地電位））が印加される。共通電極４１６には、上述のように凸状構造体４０８を覆って形成された共通電極４０６の一部を介して、固定電位が印加される。
【００６８】
図３にも示されるように、トランジスタ４２０は逆スタガ型の薄膜トランジスタであり、絶縁表面を有する基板である第１の基板４４１上に形成され、ゲート配線層４０１、ゲート絶縁層４４３、半導体層４０２、ソース電極層又はドレイン電極層の一方として機能する配線層４０３、ソース電極層又はドレイン電極層の他方として機能する配線層４０４を含む。
【００６９】
トランジスタ４２０を覆い、半導体層４０２に接する絶縁膜４４４及び絶縁膜４４５が設けられ、絶縁膜４４５上に絶縁層４４６が積層されている。絶縁膜４４４、絶縁膜４４５、及び絶縁層４４６はトランジスタ４２０と画素電極４０５及び共通電極４０６との間に設けられた層間絶縁膜として機能する。
【００７０】
配線層４０４と画素電極４０５との間に設けられる絶縁膜４４４、絶縁膜４４５、絶縁層４４６は選択的に除去されており、開口部４１０が形成されている。本実施の形態では該開口部４１０は配線層４０４に達する例を示す。該開口部４１０を充填するように液晶層４４７が形成されている。
【００７１】
画素電極４０５及び共通電極４０６上には液晶層４４７が設けられ、対向基板である第２の基板４４２で封止されている。
【００７２】
またゲート配線層４０１と同工程及び同材料で形成される容量配線層４０９、ゲート絶縁層４４３、及び配線層４０４が重畳する領域では、保持容量が形成される。
【００７３】
第１の基板４４１及び第２の基板４４２は透光性基板であり、それぞれ外側（液晶層４４７と反対側）に偏光板４３３ａ及び偏光板４３３ｂが設けられている。
【００７４】
図４（Ａ）〜図４（Ｃ）、図５（Ａ）〜図５（Ｂ）、図６（Ａ）〜図６（Ｂ）を用いて、図１に示す液晶表示装置の作製工程を説明する。図４（Ａ）〜図４（Ｃ）、図５（Ａ）〜図５（Ｂ）、図６（Ａ）〜図６（Ｂ）は、液晶表示装置の作製工程の断面図である。
【００７５】
図４（Ａ）において、素子基板である第１の基板４４１上にゲート配線層４０１、容量配線層４０９、ゲート絶縁層４４３、及び半導体層４０２が形成され、ゲート配線層４０１、ゲート絶縁層４４３、及び半導体層４０２上に導電膜４４８が形成されている。
【００７６】
下地膜となる絶縁膜を第１の基板４４１とゲート配線層４０１の間に設けてもよい。下地膜は、第１の基板４４１からの不純物元素の拡散を防止する機能があり、窒化珪素膜、酸化珪素膜、窒化酸化珪素膜、又は酸化窒化珪素膜から選ばれた一又は複数の膜による単層、又は積層構造により形成することができる。
【００７７】
ゲート配線層４０１の材料は、モリブデン、チタン、クロム、タンタル、タングステン、アルミニウム、銅、ネオジム、スカンジウム等の金属材料又はこれらを主成分とする合金材料を用いて、単層で又は積層して形成することができる。ゲート配線層４０１に遮光性を有する導電膜を用いることで、バックライトからの光（第１の基板４４１から入射する光）が、半導体層４０２へ入射することを防止することができる。容量配線層４０９は、ゲート配線層４０１と同様の材料同様の工程で形成される。
【００７８】
例えば、ゲート配線層４０１の２層の積層構造としては、アルミニウム層上にモリブデン層が積層された２層の積層構造、または銅層上にモリブデン層を積層した２層構造、または銅層上に窒化チタン層若しくは窒化タンタルを積層した２層構造、窒化チタン層とモリブデン層とを積層した２層構造とすることが好ましい。３層の積層構造としては、タングステン層または窒化タングステン層と、アルミニウムとシリコンの合金またはアルミニウムとチタンの合金と、窒化チタン層またはチタン層とを積層した積層構造とすることが好ましい。
【００７９】
ゲート絶縁層４４３は、プラズマＣＶＤ法又はスパッタリング法等を用いて、酸化シリコン層、窒化シリコン層、酸化窒化シリコン層又は窒化酸化シリコン層を単層で又は積層して形成することができる。また、ゲート絶縁層４４３として、有機シランガスを用いたＣＶＤ法により酸化シリコン層を形成することも可能である。有機シランガスとしては、珪酸エチル（ＴＥＯＳ：化学式Ｓｉ（ＯＣ２Ｈ５）４）、テトラメチルシラン（ＴＭＳ：化学式Ｓｉ（ＣＨ３）４）、テトラメチルシクロテトラシロキサン（ＴＭＣＴＳ）、オクタメチルシクロテトラシロキサン（ＯＭＣＴＳ）、ヘキサメチルジシラザン（ＨＭＤＳ）、トリエトキシシラン（ＳｉＨ（ＯＣ２Ｈ５）３）、トリスジメチルアミノシラン（ＳｉＨ（Ｎ（ＣＨ３）２）３）等のシリコン含有化合物を用いることができる。
【００８０】
半導体層４０２の材料としては、四元系金属の酸化物であるＩｎ−Ｓｎ−Ｇａ−Ｚｎ−Ｏ系酸化物半導体や、三元系金属の酸化物であるＩｎ−Ｇａ−Ｚｎ−Ｏ系酸化物半導体、Ｉｎ−Ｓｎ−Ｚｎ−Ｏ系酸化物半導体、Ｉｎ−Ａｌ−Ｚｎ−Ｏ系酸化物半導体、Ｓｎ−Ｇａ−Ｚｎ−Ｏ系酸化物半導体、Ａｌ−Ｇａ−Ｚｎ−Ｏ系酸化物半導体、Ｓｎ−Ａｌ−Ｚｎ−Ｏ系酸化物半導体や、二元系金属の酸化物であるＩｎ−Ｚｎ−Ｏ系酸化物半導体、Ｓｎ−Ｚｎ−Ｏ系酸化物半導体、Ａｌ−Ｚｎ−Ｏ系酸化物半導体、Ｚｎ−Ｍｇ−Ｏ系酸化物半導体、Ｓｎ−Ｍｇ−Ｏ系酸化物半導体、Ｉｎ−Ｍｇ−Ｏ系酸化物半導体、Ｉｎ−Ｇａ−Ｏ系酸化物半導体や、Ｉｎ−Ｏ系酸化物半導体、Ｓｎ−Ｏ系酸化物半導体、Ｚｎ−Ｏ系酸化物半導体などを用いることができる。
【００８１】
或いは半導体層４０２として、微結晶半導体膜、代表的には、微結晶シリコン膜、微結晶シリコンゲルマニウム膜、微結晶ゲルマニウム膜等を用いて形成してもよい。
【００８２】
導電膜４４８の材料としては、Ａｌ、Ｃｒ、Ｔａ、Ｔｉ、Ｍｏ、Ｗから選ばれた元素、または上述した元素を成分とする合金か、上述した元素を組み合わせた合金膜等が挙げられる。また、熱処理を行う場合には、この熱処理に耐える耐熱性を導電膜に持たせることが好ましい。例えば、Ａｌ単体では耐熱性が劣り、また腐蝕しやすい等の問題点があるので耐熱性導電性材料と組み合わせて形成する。Ａｌと組み合わせる耐熱性導電性材料としては、チタン（Ｔｉ）、タンタル（Ｔａ）、タングステン（Ｗ）、モリブデン（Ｍｏ）、クロム（Ｃｒ）、ネオジム（Ｎｄ）、スカンジウム（Ｓｃ）から選ばれた元素、または上述した元素を成分とする合金か、上述した元素を組み合わせた合金膜、または上述した元素を成分とする窒化物で形成する。
【００８３】
また、導電膜４４８としては導電性の金属酸化物で形成しても良い。導電性の金属酸化物としては酸化インジウム（Ｉｎ２Ｏ３）、酸化スズ（ＳｎＯ２）、酸化亜鉛（ＺｎＯ）、酸化インジウム酸化スズ（Ｉｎ２Ｏ３―ＳｎＯ２、Ｉｎｄｉｕｍ  Ｔｉｎ  Ｏｘｉｄｅ：ＩＴＯと略記する）、酸化インジウム酸化亜鉛（Ｉｎ２Ｏ３―ＺｎＯ）またはこれらの金属酸化物材料に酸化シリコンを含ませたものを用いることができる。
【００８４】
ゲート絶縁層４４３、半導体層４０２、導電膜４４８を大気に触れさせることなく連続的に形成してもよい。大気に触れさせることなく連続成膜することで、大気成分や大気中に浮遊する汚染不純物元素に汚染されることなく各積層界面を形成することができるので、トランジスタ特性のばらつきを低減することができる。
【００８５】
導電膜４４８をフォトリソグラフィ工程により加工し、ソース配線層である配線層４０３、ドレイン電極層である配線層４０４を形成する（図４（Ｂ）参照）。なお、本実施の形態では、導電膜４４８のエッチング工程において、半導体層４０２は配線層４０３及び配線層４０４が形成されない領域が一部エッチングされ、溝部（凹部）を有する半導体層となる例を示す。
【００８６】
以上により、ゲート配線層４０１、ゲート絶縁層４４３、半導体層４０２、配線層４０３、配線層４０４を有するトランジスタ４２０が形成される。
【００８７】
半導体層４０２、配線層４０３、配線層４０４、及びゲート絶縁層４４３上に絶縁膜４４４、絶縁膜４４５、及び絶縁層４４６を積層する（図４（Ｃ）参照）。
【００８８】
トランジスタ４２０を覆う絶縁膜４４４、絶縁膜４４５、及び絶縁層４４６は、乾式法や湿式法で形成される無機絶縁膜、有機絶縁膜を用いることができる。例えば、窒化シリコン、酸化シリコン、窒化酸化シリコン、酸化窒化シリコン、窒化アルミニウム、酸化アルミニウム、窒化酸化アルミニウム、酸化窒化アルミニウムなどを用いて、ＣＶＤ法やスパッタリング法などの乾式法により形成してもよいし、ポリイミド、アクリル、ベンゾシクロブテン、ポリアミド、エポキシ等の有機材料を用いて、スピンコート、ディップ、スプレー塗布、液滴吐出法（インクジェット法、スクリーン印刷、オフセット印刷等）、ロールコート、カーテンコート、ナイフコートなどの湿式法により形成してもよい。また上記有機材料の他に、低誘電率材料（ｌｏｗ−ｋ材料）、シロキサン系樹脂、ＰＳＧ（リンガラス）、ＢＰＳＧ（リンボロンガラス）等を用いることができる。
【００８９】
なおシロキサン系樹脂とは、シロキサン系材料を出発材料として形成されたＳｉ−Ｏ−Ｓｉ結合を含む樹脂に相当する。シロキサン系樹脂は置換基としては有機基（例えばアルキル基やアリール基）やフルオロ基を用いても良い。また、有機基はフルオロ基を有していても良い。シロキサン系樹脂は塗布法により成膜し、焼成することによって絶縁層４４６として用いることができる。
【００９０】
なお、これらの材料で形成される絶縁膜を複数積層させることで、絶縁膜４４４及び絶縁膜４４５を形成してもよい。例えば、無機絶縁膜上に有機樹脂膜を積層する構造としてもよい。
【００９１】
次いで、絶縁膜４４４、絶縁膜４４５、及び絶縁層４４６に配線層４０４に達する開口部（コンタクトホール）４１０を形成する（図５（Ａ）参照）。
【００９２】
絶縁層４４６上に、凸状構造体４０７を形成する（図５（Ｂ）参照）。なお図５（Ｂ）には示さないが、同工程で絶縁層４４６上に凸状構造体４０８も形成される。凸状構造体４０７及び凸状構造体４０８は、半円に近い先端が丸いドーム形状の構造体である。このように構造体表面が曲面を有していると上に積層する画素電極４０５及び共通電極４０６が被覆性よく良好な形状で形成することができる。
【００９３】
なお本実施の形態では、開口部４１０を形成後に凸状構造体４０７を形成する例を示したが、作製工程の順はこの限りではない。絶縁層４４６上に凸状構造体４０７及び凸状構造体４０８を形成した後に、開口部４１０を形成してもよい。
【００９４】
凸状構造体４０７及び凸状構造体４０８それぞれは、絶縁物、例えば無機絶縁層、又は有機樹脂層、或いはそれらの積層で形成すればよい。また凸状構造体４０７及び凸状構造体４０８として、金属膜を用いて形成してもよい。凸状構造体４０７及び凸状構造体４０８として金属膜を用いた場合は、凸状構造体４０７及び凸状構造体４０８上に画素電極４０５及び共通電極４０６を形成しなくてもよい。
【００９５】
次いで、開口部４１０、絶縁層４４６、及び凸状構造体４０７上に導電膜を形成する。導電膜をフォトリソグラフィ工程により加工し、配線層４０４と電気的に接続する画素電極４０５、及び、共通電極４０６を形成する（図６（Ａ）参照）。なお図６（Ａ）には図示しないが、凸状構造体４０８上には、共通電極４０６が形成される。また上述のように、凸状構造体４０７及び凸状構造体４０８として金属膜を用いた場合は、凸状構造体４０７及び凸状構造体４０８上に画素電極４０５及び共通電極４０６を形成しなくてもよい。
【００９６】
画素電極４０５及び共通電極４０６の材料として、透光性を有する導電材料、例えば、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（以下、ＩＴＯと示す）、インジウム亜鉛酸化物、酸化ケイ素を添加したインジウム錫酸化物などの透光性を有する導電性材料を用いることができる。
【００９７】
画素電極４０５及び共通電極４０６の材料として、導電性高分子（導電性ポリマーともいう）を含む導電性組成物を用いて形成することができる。導電性組成物を用いて形成した画素電極４０５及び共通電極４０６の材料として、は、シート抵抗が１００００Ω／□以下、波長５５０ｎｍにおける透光率が７０％以上であることが好ましい。また、導電性組成物に含まれる導電性高分子の抵抗率が０．１Ω・ｃｍ以下であることが好ましい。
【００９８】
導電性高分子としては、いわゆるπ電子共役系導電性高分子が用いることができる。例えば、ポリアニリンまたはその誘導体、ポリピロールまたはその誘導体、ポリチオフェンまたはその誘導体、若しくはアニリン、ピロールおよびチオフェンの２種以上からなる共重合体若しくはその誘導体などがあげられる。
【００９９】
第１の基板４４１に画素電極４０５及び共通電極４０６を形成する工程と同工程で、第２の基板４４２上に、画素電極４１５及び共通電極４１６を形成する（図６（Ｂ）参照）。画素電極４１５は画素電極４０５と平面から見て同形状であり、かつ、互いに重畳するように形成する。同様に、共通電極４１６は共通電極４０６と平面から見て同形状であり、かつ、互いに重畳するように形成する。
【０１００】
第１の基板４４１と対向基板である第２の基板４４２とを、液晶層４４７を間に挟持させてシール材で固着する。液晶層４４７を形成する方法として、ディスペンサ法（滴下法）や、第１の基板４４１と第２の基板４４２とを貼り合わせてから毛細管現象等を用いて液晶を注入する注入法を用いることができる。なお液晶層４４７の厚さは１μｍ以上２０μｍ以下が好ましい。本実施の形態の凸状構造体の高さは、液晶層４４７の厚さが１μｍ以上２０μｍ以下となるように決定すればよい。
【０１０１】
液晶層４４７には、ブルー相を示す液晶材料を用いる。
【０１０２】
ブルー相を示す液晶材料として液晶及びカイラル剤を含む。カイラル剤は、液晶を螺旋構造に配向させ、ブルー相を発現させるために用いる。例えば、数重量％以上のカイラル剤を混合させた液晶材料を液晶層に用いればよい。
【０１０３】
液晶は、サーモトロピック液晶、低分子液晶、高分子液晶、強誘電液晶、反強誘電液晶等を用いる。
【０１０４】
カイラル剤は、液晶に対する相溶性が良く、かつ捩れ力の強い材料を用いる。また、Ｒ体、Ｓ体のどちらか片方の材料が良く、Ｒ体とＳ体の割合が５０：５０のラセミ体は使用しない。
【０１０５】
上記液晶材料は、条件により、コレステリック相、コレステリックブルー相、スメクチック相、スメクチックブルー相、キュービック相、カイラルネマチック相、等方相等を示す。
【０１０６】
ブルー相であるコレステリックブルー相及びスメクチックブルー相は、螺旋ピッチが５００ｎｍ以下とピッチの比較的短いコレステリック相またはスメクチック相を有する液晶材料にみられる。液晶材料の配向は二重ねじれ構造を有する。可視光の波長以下の秩序を有しているため、透明であり、電圧印加によって配向秩序が変化して光学的変調作用が生じる。ブルー相は光学的に等方であるため視野角依存性がなく、配向膜を形成しなくとも良いため、表示画像の質の向上及びコスト削減が可能である。
【０１０７】
また、ブルー相は狭い温度範囲でしか発現が難しく、温度範囲を広く改善するために液晶材料に、光硬化樹脂及び光重合開始剤を添加し、高分子安定化処理を行うことが好ましい。高分子安定化処理は、液晶、カイラル剤、光硬化樹脂、及び光重合開始剤を含む液晶材料に、光硬化樹脂、及び光重合開始剤が反応する波長の光を照射して行う。この高分子安定化処理は、温度制御を行い、等方相を示した状態で光照射して行っても良いし、ブルー相を示した状態で光照射して行ってもよい。
【０１０８】
例えば、液晶層の温度を制御し、ブルー相を発現した状態で液晶層に光を照射することにより高分子安定化処理を行う。但し、これに限定されず、ブルー相と等方相間の相転移温度から＋１０℃以内、好ましくは＋５℃以内の等方相を発現した状態で液晶層に光を照射することにより高分子安定化処理を行ってもよい。ブルー相と等方相間の相転移温度とは、昇温時にブルー相から等方相に転移する温度又は降温時に等方相からブルー相に相転移する温度をいう。高分子安定化処理の一例としては、液晶層を等方相まで加熱した後、徐々に降温させてブルー相にまで相転移させ、ブルー相が発現する温度を保持した状態で光を照射することができる。他にも、液晶層を徐々に加熱して等方相に相転移させた後、ブルー相と等方相間の相転移温度から＋１０℃以内、好ましくは＋５℃以内の状態（等方相を発現した状態）で光を照射することができる。また、液晶材料に含まれる光硬化樹脂として、紫外線硬化樹脂（ＵＶ硬化樹脂）を用いる場合、液晶層に紫外線を照射すればよい。なお、ブルー相を発現させなくとも、ブルー相と等方相間の相転移温度から＋１０℃以内、好ましくは＋５℃以内の状態（等方相を発現した状態）で光を照射して高分子安定化処理を行えば、応答速度が１ｍｓｅｃ以下と短く高速応答が可能である。
【０１０９】
光硬化樹脂は、アクリレート、メタクリレートなどの単官能モノマーでもよく、ジアクリレート、トリアクリレート、ジメタクリレート、トリメタクリレートなどの多官能モノマーでもよく、これらを混合させたものでもよい。また、液晶性のものでも非液晶性のものでもよく、両者を混合させてもよい。光硬化樹脂は、用いる光重合開始剤の反応する波長の光で硬化する樹脂を選択すれば良く、代表的には紫外線硬化樹脂を用いることができる。
【０１１０】
光重合開始剤は、光照射によってラジカルを発生させるラジカル重合開始剤でもよく、酸を発生させる酸発生剤でもよく、塩基を発生させる塩基発生剤でもよい。
【０１１１】
具体的には、液晶材料として、ＪＣ−１０４１ＸＸ（チッソ株式会社製）と４−シアノ−４’−ペンチルビフェニルの混合物を用いることができ、カイラル剤としては、ＺＬＩ−４５７２（メルク株式会社製）を用いることができ、光硬化樹脂は、２−エチルヘキシルアクリレート、ＲＭ２５７（メルク株式会社製）、トリメチロールプロパントリアクリレートを用いることができ、光重合開始剤としては２，２−ジメトキシ−２−フェニルアセトフェノンを用いることができる。
【０１１２】
ブルー相を示す液晶を用いることで、図３９（Ａ）に示すように、立ち上がり時間９０１（透過率１０％から透過率９０％に達するまでに要する時間）及び立ち下がり時間９０２（透過率９０％から透過率１０％に達するまでに要する時間）を、１ミリ秒以下とすることができる。一方、従来例である、垂直配向（ＶＡ）モードの液晶を用いた場合の立ち上がり時間９０３と立ち下がり時間９０４は、図３９（Ｂ）に示す通り、ブルー相を示す液晶よりも長く、数ミリ秒以上要する。
【０１１３】
このように、ブルー相を示す液晶材料は、応答速度が従来の液晶材料よりも短く、高速応答が可能であるため、ブルー相を示す液晶を用いた液晶表示装置の高性能化が可能になる。
【０１１４】
本明細書において、液晶表示装置は光源の光を透過することによって表示を行う透過型の液晶表示装置である（又は半透過型の液晶表示装置）場合、少なくとも画素領域において光を透過させる必要がある。よって光が透過する画素領域に存在する第１の基板、第２の基板、他絶縁膜、導電膜などの薄膜はすべて可視光の波長領域の光に対して透光性とする。
【０１１５】
シール材としては、代表的には可視光硬化性、紫外線硬化性または熱硬化性の樹脂を用いるのが好ましい。代表的には、アクリル樹脂、エポキシ樹脂、アミン樹脂などを用いることができる。また、光（代表的には紫外線）重合開始剤、熱硬化剤、フィラー、カップリング剤を含んでもよい。
【０１１６】
液晶層に、光を照射して高分子安定化処理を行い、液晶層４４７を形成する。光は、液晶層に含まれる光硬化樹脂、及び光重合開始剤が反応する波長の光とする。この光照射による高分子安定化処理により、液晶層４４７がブルー相を示す温度範囲を広く改善することができる。
【０１１７】
なお液晶層は、電圧無印加時に垂直配向する液晶層を用いてもよい。
【０１１８】
シール材に紫外線などの光硬化樹脂を用い、滴下法で液晶層を形成する場合など、高分子安定化処理の光照射工程によってシール材の硬化も行ってもよい。
【０１１９】
遮光層をトランジスタの少なくとも半導体層上方を覆うように設けると、トランジスタの半導体層への光の入射を遮断することができるため、半導体の光感度によるトランジスタの電気特性の変動を防止し、より安定化させることができる。また、遮光層をコンタクトホール上や画素間を覆うように設けるとコンタクトホール上に発生しやすい液晶の配向欠陥による光漏れ等の表示ムラを隠すことができるため、コントラストの低下を抑制することができる。よって、液晶表示装置の高精細化、高信頼性化を達成することができる。
【０１２０】
遮光層は、光を反射、又は吸収し、遮光性を有する材料を用いる。例えば、黒色の有機樹脂を用いることができ、感光性又は非感光性のポリイミドなどの樹脂材料に、顔料系の黒色樹脂やカーボンブラック、チタンブラック等を混合させて形成すればよい。また、遮光性の金属膜を用いることもでき、例えばクロム、モリブデン、ニッケル、チタン、コバルト、銅、タングステン、又はアルミニウムなどを用いればよい。
【０１２１】
遮光層の形成方法は特に限定されず、材料に応じて、蒸着法、スパッタ法、ＣＶＤ法などの乾式法、又はスピンコート、ディップ、スプレー塗布、液滴吐出法（インクジェット法等）印刷法（スクリーン印刷、オフセット印刷等）などの湿式法を用い、必要に応じてエッチング法（ドライエッチング又はウエットエッチング）により所望のパターンに加工すればよい。
【０１２２】
素子基板である第１の基板４４１側に遮光層を作り込む構成であると、高分子安定化のための光照射処理工程において、該遮光層によって対向基板（第２の基板４４２）側から照射される光が吸収、遮断されることがないために、液晶層全体に均一に照射し、液晶層を光重合することができる。よって、不均一な光重合による液晶の配向乱れやそれに伴う表示ムラなどを防止することができる。
【０１２３】
本実施の形態では、第１の基板４４１の外側（液晶層４４７と反対側）に偏光板４３３ａを、第２の基板４４２の外側（液晶層４４７と反対側）に偏光板４３３ｂを設ける。また、偏光板の他、位相差板、反射防止膜などの光学フィルムなどを設けてもよい。例えば、偏光板及び位相差板による円偏光を用いてもよい。以上の工程で、液晶表示装置を完成させることができる。
【０１２４】
また、大型の基板を用いて複数の液晶表示装置を作製する場合（所謂多面取り）、その分断工程は、高分子安定化処理の前か、偏光板を設ける前に行うことができる。分断工程による液晶層への影響（分断工程時にかかる力などによる配向乱れなど）を考慮すると、第１の基板と第２の基板とを貼り合わせた後、高分子安定化処理の前が好ましい。
【０１２５】
図示しないが、光源としてバックライト、サイドライトなどを用いればよい。光源からの光は、素子基板である第１の基板４４１側から、視認側である第２の基板４４２へと透過するように照射される。
【０１２６】
ブルー相を示す液晶材料は、応答速度が１ｍｓｅｃ以下と短く高速応答が可能であるため、液晶表示装置の高性能化が可能になる。
【０１２７】
例えば、高速応答が可能であるため、バックライト装置にＲＧＢの発光ダイオード（ＬＥＤ）等を配置し、時分割によりカラー表示する継時加法混色法（フィールドシーケンシャル法）や、時分割により左右の映像を交互に見るシャッター眼鏡方式による３次元表示方式に好適に採用できる。
【０１２８】
以上本実施の形態により、ブルー相を示す液晶材料を用いた液晶表示装置において、駆動電圧を低減させ、かつコントラスト比の低下を抑制することができる。
【０１２９】
［実施の形態２］
本実施の形態では、実施の形態１とは異なる構成を有する液晶表示装置について、図７（Ａ）〜図７（Ｂ）及び図８を用いて説明する。なお本実施の形態において、実施の形態１と同じものは同じ符号で示している。
【０１３０】
図７（Ａ）は、本実施の形態の液晶表示装置の第１の基板側の上面図、図７（Ｂ）は、本実施の形態の液晶表示装置の第２の基板側の上面図であり、それぞれ１画素分の画素を示している。また図８は、図７（Ａ）のＥ−Ｆの断面図である。
【０１３１】
なお本実施の形態では、上述の実施の形態と同様に、基板上に電極や配線が設けられているが、電極や配線が重畳している様を明確にするために、図７（Ａ）では、電極や配線側から基板を見たときの上面図、図７（Ｂ）では、基板側から電極や配線を見たときの上面図とする。
【０１３２】
本実施の形態の凸状構造体４２７及び凸状構造体４２８は、画素電極４２５の櫛歯状の領域及び共通電極４２６の櫛歯状の領域が延伸する方向に延伸している。よって、凸状構造体４２７を覆って形成される画素電極４２５の一部、及び、凸状構造体４２８を覆って形成される共通電極４２６の一部も、画素電極４２５の櫛歯状の領域及び共通電極４２６の櫛歯状の領域の延伸する方向に延伸する。
【０１３３】
凸状構造体４２７及び凸状構造体４２８を上述のように配置すると、凸状構造体４２７を覆う画素電極４２５の一部、及び、凸状構造体４２８を覆う共通電極４２６の一部によって、横方向電界の強度を強めることができる。つまり液晶層４４７の高さ方向（膜厚方向）に画素電極４２５の一部及び共通電極４２６の一部が存在しているので、横方向電界が高さ方向（膜厚方向）にも広く形成され、画素電極及び共通電極間の広い領域に渡って均一な横方向電界を形成することが可能となる。
【０１３４】
凸状構造体４２７及び凸状構造体４２８は、それぞれ容量配線層４０９及びゲート配線層４０１と重畳する領域に設けられている。容量配線層４０９及びゲート配線層４０１は光を遮蔽するので、凸状構造体４２７及び凸状構造体４２８およびその周辺部は光を透過しない。これにより、光学的な偏光作用が生じず、液晶表示装置のコントラスト比は低下しない。
【０１３５】
また実施の形態１と同様に、凸状構造体４２７を覆う画素電極４２５の一部は、第２の基板４４２上に設けられた画素電極４３５の一部に接している。これにより、画素電極４２５と画素電極４３５を電気的に接続することができる。画素電極４２５と画素電極４３５を電気的に接続することができるので、画素電極４２５と画素電極４３５を別々に駆動することなく、トランジスタ４２０のみで画素電極４２５と画素電極４３５を駆動することができる。トランジスタ４２０のみで画素電極４２５と画素電極４３５を駆動することができるので、液晶表示装置の消費電力を低減できる。また液晶表示装置の作製工程を低減させ、作製コストを削減することができる。
【０１３６】
同様に、凸状構造体４２８を覆う共通電極４２６の一部は、第１の基板４４１上に設けられた共通電極４３６の一部に接している。これにより、共通電極４２６と共通電極４３６を電気的に接続することができる。共通電極４２６と共通電極４３６を電気的に接続することができるので、共通電極４２６の抵抗と共通電極４３６の抵抗を低減することができる。これにより、共通電極４２６と共通電極４３６の駆動電圧を下げることができ、液晶表示装置の消費電力を低減できる。
【０１３７】
また本実施の形態では、画素電極及び共通電極それぞれの配線領域と櫛歯状領域を同じ導電膜で形成したが、実施の形態１の図３８（Ａ）及び図３８（Ｂ）と同様に、画素電極及び共通電極それぞれの配線領域と櫛歯状領域を異なる導電膜で形成してもよい。
【０１３８】
以上本実施の形態により、ブルー相を示す液晶層を用いた液晶表示装置において、横方向電界を発生させる画素電極及び共通電極の下に凸状構造体を形成することがないので、コントラスト比の低下を抑制し、かつ横方向電界の強度を強めることができる。
【０１３９】
［実施の形態３］
本実施の形態では、実施の形態１及び実施の形態２とは異なる構成を有する液晶表示装置について、図９（Ａ）〜図９（Ｂ）、図１０、図１１（Ａ）〜図１１（Ｂ）、及び図１２を用いて説明する。なお本実施の形態において、実施の形態１及び実施の形態２と同じものは同じ符号で示している。
【０１４０】
図９（Ａ）は、本実施の形態の液晶表示装置の第１の基板側の上面図、図９（Ｂ）は、本実施の形態の液晶表示装置の第２の基板側の上面図であり、それぞれ１画素分の画素を示している。また図１０は、図９（Ｂ）のＧ−Ｈの断面図である。
【０１４１】
なお本実施の形態では、上述の実施の形態と同様に、基板上に電極や配線が設けられているが、電極や配線が重畳している様を明確にするために、図９（Ａ）では、電極や配線側から基板を見たときの上面図、図９（Ｂ）では、基板側から電極や配線を見たときの上面図とする。
【０１４２】
図９（Ａ）〜図９（Ｂ）及び図１０に示す液晶表示装置は、実施の形態１（図１（Ａ）〜図１（Ｂ）及び図２参照）とほぼ同様の構造を有する。ただし、図９（Ａ）〜図９（Ｂ）及び図１０に示す液晶表示装置は、実施の形態１の液晶表示装置とは異なり、凸状構造体が、素子基板である第１の基板４４１ではなく、対向基板である第２の基板４４２上に設けられている。
【０１４３】
図９（Ｂ）及び図１０に示すように、第２の基板４４２上には、凸状構造体４５７及び凸状構造体４５８が設けられている。
【０１４４】
画素電極４１５の一部は凸状構造体４５７を覆っている。凸状構造体４５７を覆う画素電極４１５の一部は、第１の基板４４１上に設けられた画素電極４０５の一部に接している。これにより、画素電極４０５と画素電極４１５を電気的に接続することができる。画素電極４０５と画素電極４１５を電気的に接続することができるので、画素電極４０５と画素電極４１５を別々に駆動することなく、トランジスタ４２０のみで画素電極４０５と画素電極４１５を駆動することができる。トランジスタ４２０のみで画素電極４０５と画素電極４１５を駆動することができるので、液晶表示装置の消費電力を低減できる。また液晶表示装置の作製工程を低減させ、作製コストを削減することができる。
【０１４５】
同様に、第２の基板４４２上に設けられた凸状構造体４５８を覆って、共通電極４１６の一部が設けられている。凸状構造体４５８を覆う共通電極４１６の一部は、第１の基板４４１上に設けられた共通電極４０６の一部に接している。これにより、共通電極４０６と共通電極４１６を電気的に接続することができる。共通電極４０６と共通電極４１６を電気的に接続することができるので、共通電極４０６の抵抗と共通電極４１６の抵抗を低減することができる。これにより、共通電極４０６と共通電極４１６の駆動電圧を下げることができ、液晶表示装置の消費電力を低減できる。
【０１４６】
なお凸状構造体４５７及び凸状構造体４５８は、それぞれ画素電極４０５の櫛歯状領域、共通電極４０６の櫛歯状領域、画素電極４１５の櫛歯状領域、共通電極４１６の櫛歯状領域を挟んで互いに離間するように配置されている。すなわち、横方向電界を発生させる画素電極及び共通電極、並びに、凸状構造体４５７及び凸状構造体４５８は重畳しないように配置する。これにより、凸状構造体４５７及び凸状構造体４５８は、液晶分子が横方向電界に配向するのを妨げない。
【０１４７】
凸状構造体４５７及び凸状構造体４５８は、それぞれ容量配線層４０９及びゲート配線層４０１と重畳する領域に設けられている。容量配線層４０９及びゲート配線層４０１は光を遮蔽するので、凸状構造体４５７及び凸状構造体４５８およびその周辺部は光を透過しない。これにより、光学的な偏光作用が生じず、液晶表示装置のコントラスト比は低下しない。
【０１４８】
また、図１１（Ａ）は本実施の形態の別の液晶表示装置の第１の基板側の上面図、図１１（Ｂ）は、図１１（Ａ）に示す液晶表示装置の第２の基板側の上面図であり、それぞれ１画素分の画素を示している。また図１２は、図１１（Ｂ）のＪ−Ｋの断面図である。
【０１４９】
なお本実施の形態では、上述の実施の形態と同様に、基板上に電極や配線が設けられているが、電極や配線が重畳している様を明確にするために、図１１（Ａ）では、電極や配線側から基板を見たときの上面図、図１１（Ｂ）では、基板側から電極や配線を見たときの上面図とする。
【０１５０】
図１１（Ａ）〜図１１（Ｂ）及び図１２に示す液晶表示装置は、実施の形態２（図７（Ａ）〜図７（Ｂ）及び図８参照）とほぼ同様の構造を有する。ただし、図１１（Ａ）〜図１１（Ｂ）及び図１２に示す液晶表示装置は、実施の形態２の液晶表示装置とは異なり、凸状構造体が、素子基板である第１の基板４４１ではなく、対向基板である第２の基板４４２上に設けられている。
【０１５１】
図１１（Ｂ）及び図１２に示すように、第２の基板４４２上には、凸状構造体４６７及び凸状構造体４６８が設けられている。
【０１５２】
本実施の形態の凸状構造体４６７及び凸状構造体４６８は、画素電極４３５の櫛歯状の領域及び共通電極４３６の櫛歯状の領域が延伸する方向に延伸している。よって、凸状構造体４６７を覆って形成される画素電極４３５の一部、及び、凸状構造体４６８を覆って形成される共通電極４３６の一部も、画素電極４３５の櫛歯状の領域及び共通電極４３６の櫛歯状の領域が延伸する方向に延伸する。
【０１５３】
凸状構造体４６７及び凸状構造体４６８を上述のように配置すると、凸状構造体４６７を覆う画素電極４３５の一部、及び、凸状構造体４６８を覆う共通電極４３６の一部によって、横方向電界の強度を強めることができる。つまり液晶層４４７の高さ方向（膜厚方向）に画素電極４３５の一部及び共通電極４３６の一部が存在しているので、横方向電界が高さ方向（膜厚方向）にも広く形成され、画素電極及び共通電極間の広い領域に渡って均一な横方向電界を形成することが可能となる。
【０１５４】
さらに凸状構造体４６７及び凸状構造体４６８は、それぞれ容量配線層４０９及びゲート配線層４０１と重畳する領域に設けられている。容量配線層４０９及びゲート配線層４０１は光を遮蔽するので、凸状構造体４６７及び凸状構造体４６８およびその周辺部は光を透過しない。これにより、光学的な偏光作用が生じず、液晶表示装置のコントラスト比は低下しない。
【０１５５】
また実施の形態２と同様に、凸状構造体４６７を覆う画素電極４３５の一部は、第１の基板４４１上に設けられた画素電極４２５の一部に接している。これにより、画素電極４２５と画素電極４３５を電気的に接続することができる。画素電極４２５と画素電極４３５を電気的に接続することができるので、画素電極４２５と画素電極４３５を別々に駆動することなく、トランジスタ４２０のみで画素電極４２５と画素電極４３５を駆動することができる。トランジスタ４２０のみで画素電極４２５と画素電極４３５を駆動することができるので、液晶表示装置の消費電力を低減できる。また液晶表示装置の作製工程を低減させ、作製コストを削減することができる。
【０１５６】
同様に、凸状構造体４６８を覆う共通電極４３６の一部は、第１の基板４４１上に設けられた共通電極４２６の一部に接している。これにより、共通電極４２６と共通電極４３６を電気的に接続することができる。共通電極４２６と共通電極４３６を電気的に接続することができるので、共通電極４２６の抵抗と共通電極４３６の抵抗を低減することができる。これにより、共通電極４２６と共通電極４３６の駆動電圧を下げることができ、液晶表示装置の消費電力を低減できる。また液晶表示装置の作製工程を低減させ、作製コストを削減することができる。
【０１５７】
また本実施の形態では、画素電極及び共通電極それぞれの配線領域と櫛歯状領域を同じ導電膜で形成したが、実施の形態１の図３８（Ａ）及び図３８（Ｂ）と同様に、画素電極及び共通電極それぞれの配線領域と櫛歯状領域を異なる導電膜で形成してもよい。
【０１５８】
以上本実施の形態により、ブルー相を示す液晶材料を用いた液晶表示装置において、駆動電圧を低減させ、かつコントラスト比の低下を抑制することができる。
【０１５９】
［実施の形態４］
本実施の形態では、実施の形態１乃至実施の形態３とは異なる構成を有する液晶表示装置について、図１３（Ａ）〜図１３（Ｂ）、図１４（Ａ）〜図１４（Ｂ）、図１５（Ａ）〜図１５（Ｂ）、図１６（Ａ）〜図１６（Ｂ）を用いて説明する。なお本実施の形態において、実施の形態１乃至実施の形態３と同じものは同じ符号で示している。
【０１６０】
図１３（Ａ）は、本実施の形態の液晶表示装置の第１の基板側の上面図、図１３（Ｂ）は、本実施の形態の液晶表示装置の第２の基板側の上面図であり、それぞれ１画素分の画素を示している。
【０１６１】
なお本実施の形態では、上述の実施の形態と同様に、基板上に電極や配線が設けられているが、電極や配線が重畳している様を明確にするために、図１３（Ａ）では、電極や配線側から基板を見たときの上面図、図１３（Ｂ）では、基板側から電極や配線を見たときの上面図とする。
【０１６２】
図１３（Ａ）に示す液晶表示装置は、第１の基板４４１上に凸状構造体４７７及び凸状構造体４７８が設けられている。
【０１６３】
凸状構造体４７７及び凸状構造体４７８は、それぞれ画素電極４７５の櫛歯状領域、共通電極４７６の櫛歯状領域、画素電極４８５の櫛歯状領域、共通電極４８６の櫛歯状領域を挟んで互いに離間するように配置される。すなわち、横方向電界を発生させる画素電極及び共通電極、並びに、凸状構造体４７７及び凸状構造体４７８は重畳しないように配置する。これにより、凸状構造体４７７及び凸状構造体４７８は、液晶分子が横方向電界に配向するのを妨げず、かつ横方向電界の強度の向上させる。
【０１６４】
また凸状構造体４７７及び凸状構造体４７８は、それぞれ容量配線層４０９及びゲート配線層４０１と重畳する領域に設けられている。容量配線層４０９及びゲート配線層４０１は光を遮蔽するので、凸状構造体４７７及び凸状構造体４７８およびその周辺部は光を透過しない。これにより、光学的な偏光作用が生じず、液晶表示装置のコントラスト比は低下しない。
【０１６５】
また凸状構造体４７７を覆う画素電極４７５の一部は、第２の基板４４２上に設けられた画素電極４８５の一部に接している。これにより、画素電極４７５と画素電極４８５を電気的に接続することができる。画素電極４７５と画素電極４８５を電気的に接続することができるので、画素電極４７５と画素電極４８５を別々に駆動することなく、トランジスタ４２０のみで画素電極４７５と画素電極４８５を駆動することができる。トランジスタ４２０のみで画素電極４７５と画素電極４８５を駆動することができるので、液晶表示装置の消費電力を低減できる。また液晶表示装置の作製工程を低減させ、作製コストを削減することができる。
【０１６６】
同様に、凸状構造体４７８を覆う共通電極４７６の一部は、第２の基板４４２上に設けられた共通電極４８６の一部に接している。これにより、共通電極４７６と共通電極４８６を電気的に接続することができる。共通電極４７６と共通電極４８６を電気的に接続することができるので、共通電極４７６の抵抗と共通電極４８６の抵抗を低減することができる。これにより、共通電極４７６と共通電極４８６の駆動電圧を下げることができ、液晶表示装置の消費電力を低減できる。
【０１６７】
さらに本実施の形態の凸状構造体４７８は、画素電極４７５の櫛歯状の領域及び共通電極４７６の櫛歯状の領域が延伸する方向に延伸している。よって、凸状構造体４７８を覆って形成される共通電極４７６の一部も、共通電極４７６の櫛歯状の領域が延伸する方向に延伸する。
【０１６８】
凸状構造体４７８を上述のように配置すると、凸状構造体４７８を覆う共通電極４７６の一部によって、横方向電界の強度を強めることができる。つまり液晶層４４７の高さ方向（膜厚方向）に共通電極４７６の一部が存在しているので、横方向電界が高さ方向（膜厚方向）にも広く形成され、画素電極及び共通電極間の広い領域に渡って均一な横方向電界を形成することが可能となる。
【０１６９】
図１４（Ａ）は、本実施の形態の別の液晶表示装置の第１の基板側の上面図、図１４（Ｂ）は、図１４（Ａ）に示す液晶表示装置の第２の基板側の上面図であり、それぞれ１画素分の画素を示している。
【０１７０】
なお本実施の形態では、上述の実施の形態と同様に、基板上に電極や配線が設けられているが、電極や配線が重畳している様を明確にするために、図１４（Ａ）では、電極や配線側から基板を見たときの上面図、図１４（Ｂ）では、基板側から電極や配線を見たときの上面図とする。
【０１７１】
図１４（Ｂ）に示す液晶表示装置は、第２の基板４４２上に凸状構造体４８７及び凸状構造体４８８が設けられている。
【０１７２】
凸状構造体４８７及び凸状構造体４８８は、それぞれ画素電極４７５の櫛歯状領域、共通電極４７６の櫛歯状領域、画素電極４８５の櫛歯状領域、共通電極４８６の櫛歯状領域を挟んで互いに離間するように配置される。すなわち、横方向電界を発生させる画素電極及び共通電極、並びに、凸状構造体４８７及び凸状構造体４８８は重畳しないように配置する。これにより、凸状構造体４８７及び凸状構造体４８８は、液晶分子が横方向電界に配向するのを妨げず、かつ横方向電界の強度を向上させる。
【０１７３】
さらに凸状構造体４８７及び凸状構造体４８８は、それぞれ容量配線層４０９及びゲート配線層４０１と重畳する領域に設けられている。容量配線層４０９及びゲート配線層４０１は光を遮蔽するので、凸状構造体４８７及び凸状構造体４８８およびその周辺部は光を透過しない。これにより、光学的な偏光作用が生じず、液晶表示装置のコントラスト比は低下しない。
【０１７４】
また凸状構造体４８７を覆う画素電極４８５の一部は、第１の基板４４１上に設けられた画素電極４７５の一部に接している。これにより、画素電極４７５と画素電極４８５を電気的に接続することができる。画素電極４７５と画素電極４８５を電気的に接続することができるので、画素電極４７５と画素電極４８５を別々に駆動することなく、トランジスタ４２０のみで画素電極４７５と画素電極４８５を駆動することができる。トランジスタ４２０のみで画素電極４７５と画素電極４８５を駆動することができるので、液晶表示装置の消費電力を低減できる。また液晶表示装置の作製工程を低減させ、作製コストを削減することができる。
【０１７５】
同様に、凸状構造体４８８を覆う共通電極４８６の一部は、第１の基板４４１上に設けられた共通電極４７６の一部に接している。これにより、共通電極４７６と共通電極４８６を電気的に接続することができる。共通電極４７６と共通電極４８６を電気的に接続することができるので、共通電極４７６の抵抗と共通電極４８６の抵抗を低減することができる。これにより、共通電極４７６と共通電極４８６の駆動電圧を下げることができ、液晶表示装置の消費電力を低減できる。また液晶表示装置の作製工程を低減させ、作製コストを削減することができる。
【０１７６】
さらに本実施の形態の凸状構造体４８８は、画素電極４８５の櫛歯状の領域及び共通電極４８６の櫛歯状の領域が延伸する方向に延伸している。よって、凸状構造体４８８を覆って形成される共通電極４８６の一部も、共通電極４８６の櫛歯状の領域が延伸する方向に延伸する。
【０１７７】
凸状構造体４８８を上述のように配置すると、凸状構造体４８８を覆う共通電極４８６の一部によって、横方向電界の強度を強めることができる。つまり液晶層４４７の高さ方向（膜厚方向）に共通電極４８６の一部が存在しているので、横方向電界が高さ方向（膜厚方向）にも広く形成され、画素電極及び共通電極間の広い領域に渡って均一な横方向電界を形成することが可能となる。
【０１７８】
図１５（Ａ）は、本実施の形態の別の液晶表示装置の第１の基板側の上面図、図１５（Ｂ）は、図１５（Ａ）に示す液晶表示装置の第２の基板側の上面図であり、それぞれ１画素分の画素を示している。
【０１７９】
なお本実施の形態では、上述の実施の形態と同様に、基板上に電極や配線が設けられているが、電極や配線が重畳している様を明確にするために、図１５（Ａ）では、電極や配線側から基板を見たときの上面図、図１５（Ｂ）では、基板側から電極や配線を見たときの上面図とする。
【０１８０】
図１５（Ａ）に示す液晶表示装置は、第１の基板４４１上に凸状構造体４９７及び凸状構造体４９８が設けられている。
【０１８１】
さらに凸状構造体４９７及び凸状構造体４９８は、それぞれ容量配線層４０９及びゲート配線層４０１と重畳する領域に設けられている。容量配線層４０９及びゲート配線層４０１は光を遮蔽するので、凸状構造体４９７及び凸状構造体４９８およびその周辺部は光を透過しない。これにより、光学的な偏光作用が生じず、液晶表示装置のコントラスト比は低下しない。
【０１８２】
また凸状構造体４９７を覆う画素電極４９５の一部は、第２の基板４４２上に設けられた画素電極５０５の一部に接している。これにより、画素電極４９５と画素電極５０５を電気的に接続することができる。画素電極４９５と画素電極５０５を電気的に接続することができるので、画素電極４９５と画素電極５０５を別々に駆動することなく、トランジスタ４２０のみで画素電極４９５と画素電極５０５を駆動することができる。トランジスタ４２０のみで画素電極４９５と画素電極５０５を駆動することができるので、液晶表示装置の消費電力を低減できる。また液晶表示装置の作製工程を低減させ、作製コストを削減することができる。
【０１８３】
同様に、凸状構造体４９８を覆う共通電極４９６の一部は、第２の基板４４２上に設けられた共通電極５０６の一部に接している。これにより、共通電極４９６と共通電極５０６を電気的に接続することができる。共通電極４９６と共通電極５０６を電気的に接続することができるので、共通電極４９６の抵抗と共通電極５０６の抵抗を低減することができる。これにより、共通電極４９６と共通電極５０６の駆動電圧を下げることができ、液晶表示装置の消費電力を低減できる。
【０１８４】
さらに本実施の形態の凸状構造体４９７は、画素電極４９５の櫛歯状の領域及び共通電極４９６の櫛歯状の領域が延伸する方向に延伸している。よって、凸状構造体４９７を覆って形成される画素電極４９５の一部も、画素電極４９５の櫛歯状の領域が延伸する方向に延伸する。
【０１８５】
凸状構造体４９７を上述のように配置すると、凸状構造体４９７を覆う画素電極４９５の一部によって、横方向電界の強度を強めることができる。つまり液晶層４４７の高さ方向（膜厚方向）に画素電極４９５の一部が存在しているので、横方向電界が高さ方向（膜厚方向）にも広く形成され、画素電極及び共通電極間の広い領域に渡って均一な横方向電界を形成することが可能となる。
【０１８６】
図１６（Ａ）は、本実施の形態の別の液晶表示装置の第１の基板側の上面図、図１６（Ｂ）は、図１６（Ａ）に示す液晶表示装置の第２の基板側の上面図であり、それぞれ１画素分の画素を示している。
【０１８７】
なお本実施の形態では、上述の実施の形態と同様に、基板上に電極や配線が設けられているが、電極や配線が重畳している様を明確にするために、図１６（Ａ）では、電極や配線側から基板を見たときの上面図、図１６（Ｂ）では、基板側から電極や配線を見たときの上面図とする。
【０１８８】
図１６（Ｂ）に示す液晶表示装置は、第２の基板４４２上に凸状構造体５０７及び凸状構造体５０８が設けられている。
【０１８９】
凸状構造体５０７及び凸状構造体５０８は、それぞれ容量配線層４０９及びゲート配線層４０１と重畳する領域に設けられている。容量配線層４０９及びゲート配線層４０１は光を遮蔽するので、凸状構造体５０７及び凸状構造体５０８およびその周辺部は光を透過しない。これにより、光学的な偏光作用が生じず、液晶表示装置のコントラスト比は低下しない。
【０１９０】
また凸状構造体５０７を覆う画素電極５０５の一部は、第１の基板４４１上に設けられた画素電極４９５の一部に接している。これにより、画素電極４９５と画素電極５０５を電気的に接続することができる。画素電極４９５と画素電極５０５を電気的に接続することができるので、画素電極４９５と画素電極５０５を別々に駆動することなく、トランジスタ４２０のみで画素電極４９５と画素電極５０５を駆動することができる。トランジスタ４２０のみで画素電極４９５と画素電極５０５を駆動することができるので、液晶表示装置の消費電力を低減できる。また液晶表示装置の作製工程を低減させ、作製コストを削減することができる。
【０１９１】
同様に、凸状構造体５０８を覆う共通電極５０６の一部は、第１の基板４４１上に設けられた共通電極４９６の一部に接している。これにより、共通電極４９６と共通電極５０６を電気的に接続することができる。共通電極４９６と共通電極５０６を電気的に接続することができるので、共通電極４９６の抵抗と共通電極５０６の抵抗を低減することができる。これにより、共通電極４９６と共通電極５０６の駆動電圧を下げることができ、液晶表示装置の消費電力を低減できる。
【０１９２】
さらに本実施の形態の凸状構造体５０７は、画素電極５０５の櫛歯状の領域及び共通電極５０６の櫛歯状の領域が延伸する方向に延伸している。よって、凸状構造体５０７を覆って形成される画素電極５０５の一部も、画素電極５０５の櫛歯状の領域が延伸する方向に延伸する。
【０１９３】
凸状構造体５０７を上述のように配置すると、凸状構造体５０７を覆う画素電極５０５の一部によって、横方向電界の強度を強めることができる。つまり液晶層４４７の高さ方向（膜厚方向）に画素電極５０５の一部が存在しているので、横方向電界が高さ方向（膜厚方向）にも広く形成され、基板間に設けられた画素電極及び共通電極間の広い領域に渡って均一な横方向電界を形成することが可能となる。
【０１９４】
また本実施の形態では、画素電極及び共通電極それぞれの配線領域と櫛歯状領域を同じ導電膜で形成したが、実施の形態１の図３８（Ａ）及び図３８（Ｂ）と同様に、画素電極及び共通電極それぞれの配線領域と櫛歯状領域を異なる導電膜で形成してもよい。
【０１９５】
以上本実施の形態により、ブルー相を示す液晶材料を用いた液晶表示装置において、駆動電圧を低減させ、かつコントラスト比の低下を抑制することができる。
【０１９６】
［実施の形態５］
本実施の形態では、素子基板である第１の基板４４１及び対向基板である第２の基板４４２の両方に凸状構造体を設けた液晶表示装置について説明する。なお本実施の形態において、実施の形態１乃至実施の形態４と同じものは同じ符号で示している。
【０１９７】
図１７（Ａ）は本実施の形態の液晶表示装置の第１の基板側の上面図、図１７（Ｂ）は、本実施の形態の液晶表示装置の第２の基板側の上面図であり、それぞれ１画素分の画素を示している。また図１８は、図１７（Ａ）のＬ−Ｍの断面図である。
【０１９８】
なお本実施の形態では、上述の実施の形態と同様に、基板上に電極や配線が設けられているが、電極や配線が重畳している様を明確にするために、図１７（Ａ）では、電極や配線側から基板を見たときの上面図、図１７（Ｂ）では、基板側から電極や配線を見たときの上面図とする。
【０１９９】
図１７（Ａ）〜図１７（Ｂ）及び図１８に示す液晶表示装置は、図１（Ａ）〜図１（Ｂ）及び図２に示す液晶表示装置の凸状構造体４０７を第２の基板４４２上に設けた液晶表示装置である。図１７（Ａ）〜図１７（Ｂ）及び図１８に示す液晶表示装置において、第２の基板４４２上には凸状構造体５１７が形成され、凸状構造体５１７は、画素電極５２５に覆われている。
【０２００】
凸状構造体５１７及び凸状構造体４０８は、それぞれ容量配線層４０９及びゲート配線層４０１と重畳する領域に設けられている。容量配線層４０９及びゲート配線層４０１は光を遮蔽するので、凸状構造体５１７及び凸状構造体４０８およびその周辺部は光を透過しない。これにより、光学的な偏光作用が生じず、液晶表示装置のコントラスト比は低下しない。
【０２０１】
凸状構造体５１７を覆う画素電極５２５は、第１の基板４４１上に形成された画素電極５１５と接している。
【０２０２】
図１９（Ａ）は本実施の形態の別の液晶表示装置の第１の基板側の上面図、図１９（Ｂ）は、図１９（Ａ）に示す液晶表示装置の第２の基板側の上面図であり、それぞれ１画素分の画素を示している。また図２０は、図１９（Ａ）のＮ−Ｏの断面図である。
【０２０３】
なお本実施の形態では、上述の実施の形態と同様に、基板上に電極や配線が設けられているが、電極や配線が重畳している様を明確にするために、図１９（Ａ）では、電極や配線側から基板を見たときの上面図、図１９（Ｂ）では、基板側から電極や配線を見たときの上面図とする。
【０２０４】
図１９（Ａ）〜図１９（Ｂ）及び図２０に示す液晶表示装置は、図１（Ａ）〜図１（Ｂ）及び図２に示す液晶表示装置の凸状構造体４０８を第２の基板４４２上に設けた液晶表示装置である。図１９（Ａ）〜図１９（Ｂ）及び図２０に示す液晶表示装置において、第２の基板４４２上には凸状構造体５２８が形成され、凸状構造体５２８は、共通電極５２６に覆われている。
【０２０５】
凸状構造体４０７及び凸状構造体５２８は、それぞれ容量配線層４０９及びゲート配線層４０１と重畳する領域に設けられている。容量配線層４０９及びゲート配線層４０１は光を遮蔽するので、凸状構造体４０７及び凸状構造体５２８およびその周辺部は光を透過しない。これにより、光学的な偏光作用が生じず、液晶表示装置のコントラスト比は低下しない。
【０２０６】
凸状構造体５２８を覆う共通電極５２６は、第１の基板４４１上に形成された共通電極５１６と接している。
【０２０７】
図２１（Ａ）は本実施の形態の別の液晶表示装置の第１の基板側の上面図、図２１（Ｂ）は、図２１（Ａ）に示す液晶表示装置の第２の基板側の上面図であり、それぞれ１画素分の画素を示している。
【０２０８】
なお本実施の形態では、上述の実施の形態と同様に、基板上に電極や配線が設けられているが、電極や配線が重畳している様を明確にするために、図２１（Ａ）では、電極や配線側から基板を見たときの上面図、図２１（Ｂ）では、基板側から電極や配線を見たときの上面図とする。
【０２０９】
図２１（Ａ）〜図２１（Ｂ）に示す液晶表示装置は、図７（Ａ）〜図７（Ｂ）及び図８に示す液晶表示装置の凸状構造体４２７を第２の基板４４２上に設けた液晶表示装置である。図２１（Ａ）〜図２１（Ｂ）に示す液晶表示装置において、第２の基板４４２上には凸状構造体５２７が形成され、凸状構造体５２７は、画素電極５３５に覆われている。
【０２１０】
凸状構造体５２７及び凸状構造体４２８は、それぞれ容量配線層４０９及びゲート配線層４０１と重畳する領域に設けられている。容量配線層４０９及びゲート配線層４０１は光を遮蔽するので、凸状構造体５２７及び凸状構造体４２８およびその周辺部は光を透過しない。これにより、光学的な偏光作用が生じず、液晶表示装置のコントラスト比は低下しない。
【０２１１】
凸状構造体５２７を覆う画素電極５３５は、第１の基板４４１上に形成された画素電極４２５と接している。
【０２１２】
図２２（Ａ）は本実施の形態の別の液晶表示装置の第１の基板側の上面図、図２２（Ｂ）は、図２２（Ａ）に示す液晶表示装置の第２の基板側の上面図であり、それぞれ１画素分の画素を示している。
【０２１３】
なお本実施の形態では、上述の実施の形態と同様に、基板上に電極や配線が設けられているが、電極や配線が重畳している様を明確にするために、図２２（Ａ）では、電極や配線側から基板を見たときの上面図、図２２（Ｂ）では、基板側から電極や配線を見たときの上面図とする。
【０２１４】
図２２（Ａ）〜図２２（Ｂ）に示す液晶表示装置は、図７（Ａ）〜図７（Ｂ）及び図８に示す液晶表示装置の凸状構造体４２８を第２の基板４４２上に設けた液晶表示装置である。図２２（Ａ）〜図２２（Ｂ）に示す液晶表示装置において、第２の基板４４２上には凸状構造体５２８が形成され、凸状構造体５２８は、共通電極５３６に覆われている。
【０２１５】
凸状構造体４２７及び凸状構造体５２８は、それぞれ容量配線層４０９及びゲート配線層４０１と重畳する領域に設けられている。容量配線層４０９及びゲート配線層４０１は光を遮蔽するので、凸状構造体４２７及び凸状構造体５２８およびその周辺部は光を透過しない。これにより、光学的な偏光作用が生じず、液晶表示装置のコントラスト比は低下しない。
【０２１６】
凸状構造体５２８を覆う共通電極５３６は、第１の基板４４１上に形成された共通電極４２６と接している。
【０２１７】
図２３（Ａ）は本実施の形態の別の液晶表示装置の第１の基板側の上面図、図２３（Ｂ）は、図２３（Ａ）に示す液晶表示装置の第２の基板側の上面図であり、それぞれ１画素分の画素を示している。
【０２１８】
なお本実施の形態では、上述の実施の形態と同様に、基板上に電極や配線が設けられているが、電極や配線が重畳している様を明確にするために、図２３（Ａ）では、電極や配線側から基板を見たときの上面図、図２３（Ｂ）では、基板側から電極や配線を見たときの上面図とする。
【０２１９】
図２３（Ａ）〜図２３（Ｂ）に示す液晶表示装置は、図１３（Ａ）〜図１３（Ｂ）に示す液晶表示装置の凸状構造体４７７を第２の基板４４２上に設けた液晶表示装置である。図２３（Ａ）〜図２３（Ｂ）に示す液晶表示装置において、第２の基板４４２上には凸状構造体５４７が形成され、凸状構造体５４７は、画素電極５５５に覆われている。
【０２２０】
凸状構造体５４７及び凸状構造体４７８は、それぞれ容量配線層４０９及びゲート配線層４０１と重畳する領域に設けられている。容量配線層４０９及びゲート配線層４０１は光を遮蔽するので、凸状構造体５４７及び凸状構造体４７８およびその周辺部は光を透過しない。これにより、光学的な偏光作用が生じず、液晶表示装置のコントラスト比は低下しない。
【０２２１】
凸状構造体５４７を覆う画素電極５５５は、第１の基板４４１上に形成された画素電極５４５と接している。
【０２２２】
図２４（Ａ）は本実施の形態の別の液晶表示装置の第１の基板側の上面図、図２４（Ｂ）は、図２４（Ａ）に示す液晶表示装置の第２の基板側の上面図であり、それぞれ１画素分の画素を示している。
【０２２３】
なお本実施の形態では、上述の実施の形態と同様に、基板上に電極や配線が設けられているが、電極や配線が重畳している様を明確にするために、図２４（Ａ）では、電極や配線側から基板を見たときの上面図、図２４（Ｂ）では、基板側から電極や配線を見たときの上面図とする。
【０２２４】
図２４（Ａ）〜図２４（Ｂ）に示す液晶表示装置は、図１３（Ａ）〜図１３（Ｂ）に示す液晶表示装置の凸状構造体４７８を第２の基板４４２上に設けた液晶表示装置である。図２４（Ａ）〜図２４（Ｂ）に示す液晶表示装置において、第２の基板４４２上には凸状構造体５４８が形成され、凸状構造体５４８は、共通電極５５６に覆われている。
【０２２５】
凸状構造体４７７及び凸状構造体５４８は、それぞれ容量配線層４０９及びゲート配線層４０１と重畳する領域に設けられている。容量配線層４０９及びゲート配線層４０１は光を遮蔽するので、凸状構造体４７７及び凸状構造体５４８およびその周辺部は光を透過しない。これにより、光学的な偏光作用が生じず、液晶表示装置のコントラスト比は低下しない。
【０２２６】
凸状構造体５４８を覆う共通電極５５６は、第１の基板４４１上に形成された共通電極５４６と接している。
【０２２７】
図２５（Ａ）は本実施の形態の別の液晶表示装置の第１の基板側の上面図、図２５（Ｂ）は、図２５（Ａ）に示す液晶表示装置の第２の基板側の上面図であり、それぞれ１画素分の画素を示している。
【０２２８】
なお本実施の形態では、上述の実施の形態と同様に、基板上に電極や配線が設けられているが、電極や配線が重畳している様を明確にするために、図２５（Ａ）では、電極や配線側から基板を見たときの上面図、図２５（Ｂ）では、基板側から電極や配線を見たときの上面図とする。
【０２２９】
図２５（Ａ）〜図２５（Ｂ）に示す液晶表示装置は、図１５（Ａ）〜図１５（Ｂ）に示す液晶表示装置の凸状構造体４９７を第２の基板４４２上に設けた液晶表示装置である。図２５（Ａ）〜図２５（Ｂ）に示す液晶表示装置において、第２の基板４４２上には凸状構造体５５７が形成され、凸状構造体５５７は、画素電極５７５に覆われている。
【０２３０】
凸状構造体５５７及び凸状構造体４９８は、それぞれ容量配線層４０９及びゲート配線層４０１と重畳する領域に設けられている。容量配線層４０９及びゲート配線層４０１は光を遮蔽するので、凸状構造体５５７及び凸状構造体４９８およびその周辺部は光を透過しない。これにより、光学的な偏光作用が生じず、液晶表示装置のコントラスト比は低下しない。
【０２３１】
凸状構造体５５７を覆う画素電極５７５は、第１の基板４４１上に形成された画素電極５６５と接している。
【０２３２】
図３６（Ａ）は本実施の形態の別の液晶表示装置の第１の基板側の上面図、図３６（Ｂ）は、図３６（Ａ）に示す液晶表示装置の第２の基板側の上面図であり、それぞれ１画素分の画素を示している。
【０２３３】
なお本実施の形態では、上述の実施の形態と同様に、基板上に電極や配線が設けられているが、電極や配線が重畳している様を明確にするために、図３６（Ａ）では、電極や配線側から基板を見たときの上面図、図３６（Ｂ）では、基板側から電極や配線を見たときの上面図とする。
【０２３４】
図３６（Ａ）〜図３６（Ｂ）に示す液晶表示装置は、図１５（Ａ）〜図１５（Ｂ）に示す液晶表示装置の凸状構造体４９８を第２の基板４４２上に設けた液晶表示装置である。図３６（Ａ）〜図３６（Ｂ）に示す液晶表示装置において、第２の基板４４２上には凸状構造体５６８が形成され、凸状構造体５６８は、共通電極５７６に覆われている。
【０２３５】
凸状構造体４９７及び凸状構造体５６８は、それぞれ容量配線層４０９及びゲート配線層４０１と重畳する領域に設けられている。容量配線層４０９及びゲート配線層４０１は光を遮蔽するので、凸状構造体４９７及び凸状構造体５６８およびその周辺部は光を透過しない。これにより、光学的な偏光作用が生じず、液晶表示装置のコントラスト比は低下しない。
【０２３６】
凸状構造体５６８を覆う共通電極５７６は、第１の基板４４１上に形成された共通電極５６６と接している。
【０２３７】
また本実施の形態では、画素電極及び共通電極それぞれの配線領域と櫛歯状領域を同じ導電膜で形成したが、実施の形態１の図３８（Ａ）及び図３８（Ｂ）と同様に、画素電極及び共通電極それぞれの配線領域と櫛歯状領域を異なる導電膜で形成してもよい。
【０２３８】
以上本実施の形態により、ブルー相を示す液晶材料を用いた液晶表示装置において、駆動電圧を低減させ、かつコントラスト比の低下を抑制することができる。
【０２３９】
［実施の形態６］
本実施の形態では、第１の基板４４１に設けられた凸状構造体と、第２の基板４４２に設けられた凸状構造体が、互いに重畳するように配置された液晶表示装置について説明する。なお本実施の形態において、実施の形態１乃至実施の形態５と同じものは同じ符号で示している。
【０２４０】
図２６（Ａ）は本実施の形態の液晶表示装置の第１の基板側の上面図、図２６（Ｂ）は、本実施の形態の液晶表示装置の第２の基板側の上面図であり、それぞれ１画素分の画素を示している。また図２７は、図２６（Ａ）のＰ−Ｑの断面図である。
【０２４１】
なお本実施の形態では、上述の実施の形態と同様に、基板上に電極や配線が設けられているが、電極や配線が重畳している様を明確にするために、図２６（Ａ）では、電極や配線側から基板を見たときの上面図、図２６（Ｂ）では、基板側から電極や配線を見たときの上面図とする。
【０２４２】
図２６（Ａ）〜図２６（Ｂ）及び図２７に示す液晶表示装置は、図１（Ａ）〜図１（Ｂ）及び図２に示す液晶表示装置において、第１の基板４４１及び第２の基板４４２の両方に凸状構造体を設け、かつ当該凸状構造体が重畳するように配置された液晶表示装置である。
【０２４３】
図２６（Ａ）〜図２６（Ｂ）及び図２７に示す液晶表示装置において、第１の基板４４１上には、凸状構造体６０７及び凸状構造体６０８が形成され、第２の基板４４２上には、凸状構造体６１７及び凸状構造体６１８が形成される。
【０２４４】
画素電極６０５に覆われた凸状構造体６０７及び画素電極６１５に覆われた凸状構造体６１７は、互いに重畳するように配置される。これにより画素電極６０５及び画素電極６１５が接する。
【０２４５】
同様に、共通電極６０６に覆われた凸状構造体６０８及び共通電極６１６に覆われた凸状構造体６１８は、互いに重畳するに配置される。これにより共通電極６０６及び共通電極６１６が接する。
【０２４６】
また、例えば、凸状構造体６０７及び凸状構造体６１７は、図２８（Ａ）に示すように、その断面を楕円状となるように形成し、このような凸状構造体を互いの長軸が直角になるように配置してもよい。これにより凸状構造体６０７及び凸状構造体６１７の位置が多少ずれたとしても、凸状構造体を覆って形成される画素電極又は共通電極の接触不良を防ぐ事ができる。
【０２４７】
また画素電極及び共通電極の接触不良を防ぐために、互いに重畳する凸状構造体の断面形状の面積を異ならせてもよい。例えば図２８（Ｂ）に示す凸状構造体６０７の断面形状は、凸状構造体６１７の断面形状よりも大きい。これにより、これにより凸状構造体６０７の及び凸状構造体６１７の位置が多少ずれたとしても、凸状構造体を覆って形成される画素電極及び共通電極の接触不良を防ぐ事ができる。
【０２４８】
なお図２８（Ａ）及び図２８（Ｂ）では、凸状構造体６０７及び凸状構造体６１７の断面を楕円状の形状としたが、本実施の形態はこれに限定されない。楕円状の他にも、矩形状等の凸状構造体を形成してもよい。また凸状構造体６０７及び凸状構造体６１７だけでなく、他の凸状構造体についても同様の形状及び同様の配置にすることができる。これにより画素電極及び共通電極の接触不良を防ぐ事ができる。
【０２４９】
凸状構造体６０７及び凸状構造体６１７、並びに凸状構造体６０８及び凸状構造体６１８は、それぞれ容量配線層４０９及びゲート配線層４０１と重畳する領域に設けられている。容量配線層４０９及びゲート配線層４０１は光を遮蔽するので、凸状構造体６０７及び凸状構造体６１７およびその周辺部、並びに凸状構造体６０８及び凸状構造体６１８およびその周辺部は光を透過しない。これにより、光学的な偏光作用が生じず、液晶表示装置のコントラスト比は低下しない。
【０２５０】
図２９（Ａ）〜図２９（Ｂ）に示す液晶表示装置は、図７（Ａ）〜図７（Ｂ）に示す液晶表示装置において、第１の基板４４１及び第２の基板４４２の両方に凸状構造体を設け、かつ当該凸状構造体が重畳するように配置された液晶表示装置である。
【０２５１】
なお本実施の形態では、上述の実施の形態と同様に、基板上に電極や配線が設けられているが、電極や配線が重畳している様を明確にするために、図２９（Ａ）では、電極や配線側から基板を見たときの上面図、図２９（Ｂ）では、基板側から電極や配線を見たときの上面図とする。
【０２５２】
図２９（Ａ）〜図２９（Ｂ）に示す液晶表示装置において、第１の基板４４１上には、凸状構造体６２７及び凸状構造体６２８が形成され、第２の基板４４２上には、凸状構造体６３７及び凸状構造体６３８が形成される。
【０２５３】
画素電極６２５に覆われた凸状構造体６２７及び画素電極６３５に覆われた凸状構造体６３７は、互いに重畳するように配置される。これにより画素電極６２５及び画素電極６３５が接する。
【０２５４】
同様に、共通電極６２６に覆われた凸状構造体６２８及び共通電極６３６に覆われた凸状構造体６３８は、互いに重畳するに配置される。これにより共通電極６２６及び共通電極６３６が接する。
【０２５５】
さらに図２９（Ａ）〜図２９（Ｂ）に示す凸状構造体６２７、凸状構造体６２８、凸状構造体６３７、及び凸状構造体６３８は、画素電極６２５の櫛歯状の領域、共通電極６２６の櫛歯状の領域、画素電極６３５の櫛歯状の領域、及び共通電極６３６の櫛歯状の領域が延伸する方向に延伸している。
【０２５６】
よって、凸状構造体６２７を覆って形成される画素電極６２５の一部、凸状構造体６２８を覆って形成される共通電極６２６の一部、凸状構造体６３７を覆って形成される画素電極６３５の一部、及び、凸状構造体６３８を覆って形成される共通電極６３６の一部も、当該画素電極及び共通電極の櫛歯状の領域が延伸する方向に延伸する。
【０２５７】
凸状構造体６２７を覆って形成される画素電極６２５の一部、凸状構造体６２８を覆って形成される共通電極６２６の一部、凸状構造体６３７を覆って形成される画素電極６３５の一部、及び、凸状構造体６３８を覆って形成される共通電極６３６の一部によって、横方向電界の強度を強めることができる。
【０２５８】
凸状構造体６２７及び凸状構造体６３７、並びに凸状構造体６２８及び凸状構造体６３８は、それぞれ容量配線層４０９及びゲート配線層４０１と重畳する領域に設けられている。容量配線層４０９及びゲート配線層４０１は光を遮蔽するので、凸状構造体６２７及び凸状構造体６３７およびその周辺部、並びに凸状構造体６２８及び凸状構造体６３８およびその周辺部は光を透過しない。これにより、光学的な偏光作用が生じず、液晶表示装置のコントラスト比は低下しない。
【０２５９】
図３０（Ａ）〜図３０（Ｂ）に示す液晶表示装置は、図１３（Ａ）〜図１３（Ｂ）に示す液晶表示装置において、第１の基板４４１及び第２の基板４４２の両方に凸状構造体を設け、かつ当該凸状構造体が重畳するように配置された液晶表示装置である。
【０２６０】
なお本実施の形態では、上述の実施の形態と同様に、基板上に電極や配線が設けられているが、電極や配線が重畳している様を明確にするために、図３０（Ａ）では、電極や配線側から基板を見たときの上面図、図３０（Ｂ）では、基板側から電極や配線を見たときの上面図とする。
【０２６１】
図３０（Ａ）〜図３０（Ｂ）に示す液晶表示装置において、第１の基板４４１上には、凸状構造体６４７及び凸状構造体６４８が形成され、第２の基板４４２上には、凸状構造体６５７及び凸状構造体６５８が形成される。
【０２６２】
画素電極６４５に覆われた凸状構造体６４７及び画素電極６５５に覆われた凸状構造体６５７は、互いに重畳するように配置される。これにより画素電極６４５及び画素電極６５５が接する。
【０２６３】
同様に、共通電極６４６に覆われた凸状構造体６４８及び共通電極６５６に覆われた凸状構造体６５８は、互いに重畳するに配置される。これにより共通電極６４６及び共通電極６５６が接する。
【０２６４】
さらに図３０（Ａ）〜図３０（Ｂ）に示す凸状構造体６４８及び凸状構造体６５８は、画素電極６４５の櫛歯状の領域、共通電極６４６の櫛歯状の領域、画素電極６５５の櫛歯状の領域、及び共通電極６５６の櫛歯状の領域が延伸する方向に延伸している。
【０２６５】
よって、凸状構造体６４８を覆って形成される共通電極６４６の一部、及び、凸状構造体６５８を覆って形成される共通電極６５６の一部も、当該画素電極及び共通電極の櫛歯状の領域が延伸する方向に延伸する。
【０２６６】
凸状構造体６４８を覆って形成される共通電極６４６の一部、及び、凸状構造体６５８を覆って形成される共通電極６５６の一部によって、横方向電界の強度を強めることができる。
【０２６７】
凸状構造体６４７及び凸状構造体６５７、並びに凸状構造体６４８及び凸状構造体６５８は、それぞれ容量配線層４０９及びゲート配線層４０１と重畳する領域に設けられている。容量配線層４０９及びゲート配線層４０１は光を遮蔽するので、凸状構造体６４７及び凸状構造体６５７およびその周辺部、並びに凸状構造体６４８及び凸状構造体６５８およびその周辺部は光を透過しない。これにより、光学的な偏光作用が生じず、液晶表示装置のコントラスト比は低下しない。
【０２６８】
図３１（Ａ）〜図３１（Ｂ）に示す液晶表示装置は、図１５（Ａ）〜図１５（Ｂ）に示す液晶表示装置において、第１の基板４４１及び第２の基板４４２の両方に凸状構造体を設け、かつ当該凸状構造体が重畳するように配置された液晶表示装置である。
【０２６９】
なお本実施の形態では、上述の実施の形態と同様に、基板上に電極や配線が設けられているが、電極や配線が重畳している様を明確にするために、図３１（Ａ）では、電極や配線側から基板を見たときの上面図、図３１（Ｂ）では、基板側から電極や配線を見たときの上面図とする。
【０２７０】
図３１（Ａ）〜図３１（Ｂ）に示す液晶表示装置において、第１の基板４４１上には、凸状構造体６６７及び凸状構造体６６８が形成され、第２の基板４４２上には、凸状構造体６７７及び凸状構造体６７８が形成される。
【０２７１】
画素電極６６５に覆われた凸状構造体６６７及び画素電極６７５に覆われた凸状構造体６７７は、互いに重畳するように配置される。これにより画素電極６６５及び画素電極６７５が接する。
【０２７２】
同様に、共通電極６６６に覆われた凸状構造体６６８及び共通電極６７６に覆われた凸状構造体６７８は、互いに重畳するに配置される。これにより共通電極６６６及び共通電極６７６が接する。
【０２７３】
さらに図３１（Ａ）〜図３１（Ｂ）に示す凸状構造体６６８及び凸状構造体６７８は、画素電極６６５の櫛歯状の領域、共通電極６６６の櫛歯状の領域、画素電極６７５の櫛歯状の領域、及び共通電極６７６の櫛歯状の領域が延伸する方向に延伸している。
【０２７４】
よって、凸状構造体６６７を覆って形成される画素電極６６５の一部、及び、凸状構造体６７７を覆って形成される画素電極６７５の一部も、当該画素電極及び共通電極の櫛歯状の領域が延伸する方向に延伸する。
【０２７５】
凸状構造体６６７を覆って形成される画素電極６６５の一部、及び、凸状構造体６７７を覆って形成される画素電極６７５の一部によって、横方向電界の強度を強めることができる。
【０２７６】
凸状構造体６６７及び凸状構造体６７７、並びに凸状構造体６６８及び凸状構造体６７８は、それぞれ容量配線層４０９及びゲート配線層４０１と重畳する領域に設けられている。容量配線層４０９及びゲート配線層４０１は光を遮蔽するので、凸状構造体６６７及び凸状構造体６７７およびその周辺部、並びに凸状構造体６６８及び凸状構造体６７８およびその周辺部は光を透過しない。これにより、光学的な偏光作用が生じず、液晶表示装置のコントラスト比は低下しない。
【０２７７】
また本実施の形態では、画素電極及び共通電極それぞれの配線領域と櫛歯状領域を同じ導電膜で形成したが、実施の形態１の図３８（Ａ）及び図３８（Ｂ）と同様に、画素電極及び共通電極それぞれの配線領域と櫛歯状領域を異なる導電膜で形成してもよい。
【０２７８】
以上本実施の形態により、ブルー相を示す液晶材料を用いた液晶表示装置において、駆動電圧を低減させ、かつコントラスト比の低下を抑制することができる。
【０２７９】
［実施の形態７］
本実施の形態では、実施の形態１乃至実施の形態６に示す液晶表示装置を用いた液晶パネルについて説明する。
【０２８０】
図３２（Ａ）及び図３２（Ｂ）は、本実施の形態の液晶パネルの上面図、図３２（Ｃ）は、図３２（Ａ）及び図３２（Ｂ）のＲ−Ｓの断面図である。
【０２８１】
図３２（Ａ）及び図３２（Ｂ）に示されるように、第１の基板４４１上に設けられた画素部７０２と、走査線駆動回路７０４とを囲むようにして、シール材７０５が設けられている。また画素部７０２と、走査線駆動回路７０４の上に第２の基板４４２が設けられている。よって画素部７０２と、走査線駆動回路７０４とは、第１の基板４４１とシール材７０５と第２の基板４４２とによって、液晶層４４７と共に封止されている。
【０２８２】
また、図３２（Ａ）は第１の基板４４１上のシール材７０５によって囲まれている領域とは異なる領域に、別途用意された基板上に単結晶半導体膜又は多結晶半導体膜で形成された信号線駆動回路７０３が実装されている。なお、図３２（Ｂ）は信号線駆動回路の一部を第１の基板４４１上に設けられたトランジスタで形成する例であり、第１の基板４４１上に信号線駆動回路７０３ｂが形成され、かつ別途用意された基板上に単結晶半導体膜又は多結晶半導体膜で形成された信号線駆動回路７０３ａが実装されている。
【０２８３】
なお、別途形成した駆動回路の接続方法は、特に限定されるものではなく、ＣＯＧ方法、ワイヤボンディング方法、或いはＴＡＢ方法などを用いることができる。図３２（Ａ）は、ＣＯＧ方法により信号線駆動回路７０３を実装する例であり、図３２（Ｂ）は、ＴＡＢ方法により信号線駆動回路７０３ａを実装する例である。
【０２８４】
また第１の基板４４１上に設けられた画素部７０２と、走査線駆動回路７０４は、トランジスタを複数有しており、図３２（Ｃ）では、画素部７０２に含まれるトランジスタ４２０と、走査線駆動回路７０４に含まれるトランジスタ４３０とを例示している。トランジスタ４２０及びトランジスタ４３０上には、絶縁膜４４４、絶縁膜４４５、及び絶縁層４４６が設けられている。
【０２８５】
トランジスタ４３０は、トランジスタ４２０と同様の構造を有するトランジスタを用いればよい。またトランジスタ４３０は、トランジスタ４２０と同工程で作製すればよい。
【０２８６】
また、絶縁膜４４５又は絶縁層４４６上において、駆動回路用のトランジスタ４３０の半導体層のチャネル形成領域と重なる位置に導電層を設けてもよい。導電層は、電位がトランジスタ４３０のゲート電極層と同じでもよいし、異なっていても良く、第２のゲート電極層として機能させることもできる。また、導電層の電位がＧＮＤ、０Ｖ、或いはフローティング状態であってもよい。
【０２８７】
本実施の形態の液晶パネルは、画素部７０２に設けられる凸状構造体（例えば図３２（Ｃ）においては凸状構造体４０７）が、液晶層４４７の膜厚（セルギャップ）を制御するスペーサとしての機能も有する。そのため凸状構造体の他に、液晶層４４７の膜厚（セルギャップ）を制御するスペーサを設けずともよい。ただし必要に応じて柱状等のスペーサを設け、液晶層４４７の膜厚の制御を助長してもよい。
【０２８８】
なお図３２（Ａ）〜図３２（Ｃ）に示す液晶表示パネルは、透過型液晶表示パネルの例であるが、半透過型液晶表示パネルでも適用できる。
【０２８９】
また、図３２（Ａ）〜図３２（Ｃ）の液晶表示パネルでは、基板の外側（視認側）に偏光板４３３ａ及び偏光板４３３ｂを設ける例を示すが、偏光板は基板の内側に設けてもよい。偏光板の材料や作製工程条件によって適宜設定すればよい。また、ブラックマトリクスとして機能する遮光層を設けてもよい。
【０２９０】
図３２（Ａ）〜図３２（Ｃ）においては、トランジスタ４２０及びトランジスタ４３０上方を覆うように遮光層７１４が、第２の基板４４２側に設けられている。遮光層７１４を設けることにより、さらにコントラスト向上やトランジスタの安定化の効果を高めることができる。
【０２９１】
また別途形成された信号線駆動回路７０３と、走査線駆動回路７０４または画素部７０２に与えられる各種信号及び電位は、ＦＰＣ７１８から供給されている。
【０２９２】
また、トランジスタは静電気などにより破壊されやすいため、ゲート線またはソース線に対して、駆動回路保護用の保護回路を同一基板上に設けることが好ましい。保護回路は、非線形素子を用いて構成することが好ましい。
【０２９３】
図３２（Ａ）〜図３２（Ｃ）では、接続端子電極７１５が、画素電極４０５と同じ導電膜から形成され、端子電極７１６は、トランジスタ４２０及びトランジスタ４３０のソース電極層及びドレイン電極層（配線層４０３及び配線層４０４）と同じ導電膜で形成されている。
【０２９４】
接続端子電極７１５は、ＦＰＣ７１８が有する端子と、異方性導電膜７１９を介して電気的に接続されている。
【０２９５】
また図３２（Ａ）〜図３２（Ｃ）においては、信号線駆動回路７０３を別途形成し、第１の基板４４１に実装している例を示しているが、この構成に限定されない。走査線駆動回路を別途形成して実装しても良いし、信号線駆動回路の一部または走査線駆動回路の一部のみを別途形成して実装しても良い。
【０２９６】
図３３に、図３２（Ａ）〜図３２（Ｃ）に示す液晶表示パネル７２０を用いた液晶表示モジュールを示す。図３３に示す液晶表示モジュール７９０は、カラー表示を行う液晶表示モジュールの一例である。
【０２９７】
液晶表示モジュール７９０はバックライト部７３０と、液晶表示パネル７２０と、液晶表示パネル７２０を挟む偏光板４３３ａ及び偏光板４３３ｂを有する。バックライト部７３０には発光素子７３３、例えば三原色のＬＥＤ（ＬＥＤ７３３Ｒ、ＬＥＤ７３３Ｇ、及びＬＥＤ７３３Ｂ）をマトリクス状に配置し、また液晶表示パネル７２０と発光素子の間に拡散板７３４を配置したものをバックライト部７３０として用いることができる。また、外部入力端子となるＦＰＣ７１８は液晶表示パネル７２０に設けた端子部と電気的に接続されている。
【０２９８】
本実施の形態では、発光ダイオード（ＬＥＤ）を用いて、時分割によりカラー表示する継時加法混色法（フィールドシーケンシャル法）を採用する。
【０２９９】
バックライト部７３０はバックライト制御回路、及びバックライト７３２を有する。バックライト７３２には発光素子７３３が配置されている。
【０３００】
本実施の形態では、バックライト７３２は、複数の異なる発光色の発光素子７３３を有する。異なる発光色の組み合わせとしては、例えば、赤（Ｒ）、緑（Ｇ）、及び青（Ｂ）の３種類の発光素子を用いることができる。Ｒ、Ｇ、及びＢの三原色を用いることで、フルカラー画像を表示できる。
【０３０１】
また、Ｒ、Ｇ、及びＢの発光素子から選んだ複数を同時に光らせて表現する色（例えば、ＲとＧで表す黄（Ｙ）、ＧとＢで表すシアン（Ｃ）、青と赤で表すマゼンタ（Ｍ）など）を発する別の発光素子を、Ｒ、Ｇ、及びＢの発光素子に加えて配置してもよい。
【０３０２】
また、液晶表示装置の色再現特性をより豊かにするため、三原色以外の光を発する発光素子を加えてもよい。Ｒ、Ｇ、及びＢの発光素子を用いて表現できる色は、色度図上のそれぞれの発光色に対応する３点が描く三角形の内側に示される色に限られる。従って、色度図上の該三角形の外側に配置される発光素子を別途加えることで、表示装置の色再現性を豊かにすることができる。
【０３０３】
例えば、色度図の中心から、色度図上の青色の発光素子Ｂに対応する点に向かって概ね外側に位置する点で表される深い青色（Ｄｅｅｐ  Ｂｌｕｅ：ＤＢ）や、色度図の中心から、赤色の発光素子Ｒに対応する色度図上の点に向かって概ね外側に位置する点で表されるより深い赤色（Ｄｅｅｐ  Ｒｅｄ：ＤＲ）を発する発光素子を、バックライト７３２のＲ、Ｇ、及びＢに加えて使用することができる。
【０３０４】
図３３には、３色の光７３５が矢印（Ｒ、Ｇ、及びＢ）で模式的に示してある。バックライト部７３０から逐次発せられるパルス状の異なる色の光が、バックライト部７３０と同期して動作する液晶表示パネル７２０の液晶素子により変調され、液晶表示モジュール７９０から観察者に達する。観察者は逐次的に発せられる光を映像として捉える。
【０３０５】
また、図３３で例示される液晶表示モジュールは、カラーフィルタを用いることなく、フルカラー画像の表示が可能である。カラーフィルタがバックライトの光を吸収しないため光の利用効率が高く、フルカラー画像の表示においても消費電力が抑制されている。
【０３０６】
なお本実施の形態で例示される液晶表示モジュールは、カラーフィルタを用いない液晶表示モジュールに限定されず、カラーフィルタを用いた液晶表示モジュールでもよい。カラーフィルタを用いた液晶表示モジュールでは、バックライト部７３０から白色光を発し、発せられた白色光がカラーフィルタを透過することでカラー表示が行われる。
【０３０７】
なお本実施の形態では、便宜上、液晶表示装置、液晶表示パネル、及び液晶表示モジュールを使い分けた。しかし、液晶表示パネル及び液晶表示モジュールも液晶を用いて表示を行う装置である。よって液晶表示パネル及び液晶表示モジュールも液晶表示装置と言える。
【０３０８】
本実施の形態は、他の実施の形態に記載した構成と適宜組み合わせて実施することが可能である。
【０３０９】
［実施の形態８］
本明細書に開示する液晶表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した液晶表示装置を具備する電子機器の例について説明する。
【０３１０】
図３４（Ａ）は電子書籍（Ｅ−ｂｏｏｋともいう）であり、筐体８８０、表示部８８１、操作キー８８２、太陽電池８８３、充放電制御回路８８４を有することができる。図３４（Ａ）に示した電子書籍は、様々な情報（静止画、動画、テキスト画像など）を表示する機能、カレンダー、日付又は時刻などを表示部に表示する機能、表示部に表示した情報を操作又は編集する機能、様々なソフトウェア（プログラム）によって処理を制御する機能、等を有することができる。なお。図３４（Ａ）では充放電制御回路８８４の一例としてバッテリー８８５、ＤＣＤＣコンバータ（以下、コンバータと略記）８８６を有する構成について示している。実施の形態１乃至実施の形態７のいずれかで示した液晶表示装置を表示部８８１に適用することにより、高コントラストな電子書籍とすることができる。
【０３１１】
図３４（Ａ）に示す構成とすることにより、表示部８８１として半透過型の液晶表示装置を用いる場合、比較的明るい状況下での使用も予想され、太陽電池８８３による発電、及びバッテリー８８５での充電を効率よく行うことができ、好適である。なお太陽電池８８３は、筐体８８０の空きスペース（表面や裏面）に適宜設けることができるため、効率的なバッテリー８８５の充電を行う構成とすることができるため好適である。なおバッテリー８８５としては、リチウムイオン電池を用いると、小型化を図れる等の利点がある。
【０３１２】
また図３４（Ａ）に示す充放電制御回路８８４の構成、及び動作について図３４（Ｂ）にブロック図を示し説明する。図３４（Ｂ）には、太陽電池８８３、バッテリー８８５、コンバータ８８６、コンバータ８８７、スイッチＳＷ１乃至スイッチＳＷ３、表示部８８１について示しており、バッテリー８８５、コンバータ８８６、コンバータ８８７、スイッチＳＷ１乃至スイッチＳＷ３が充放電制御回路８８４に対応する箇所となる。
【０３１３】
まず外光により太陽電池８８３により発電がされる場合の動作の例について説明する。太陽電池で発電した電力は、バッテリー８８５を充電するための電圧となるようコンバータ８８６で昇圧または降圧がなされる。そして、表示部８８１の動作に太陽電池８８３からの電力が用いられる際にはスイッチＳＷ１をオンにし、コンバータ８８７で表示部８８１に必要な電圧に昇圧または降圧をすることとなる。また、表示部８８１での表示を行わない際には、ＳＷ１をオフにし、ＳＷ２をオンにしてバッテリー８８５の充電を行う構成とすればよい。
【０３１４】
次いで外光により太陽電池８８３により発電がされない場合の動作の例について説明する。バッテリー８８５に蓄電された電力は、スイッチＳＷ３をオンにすることでコンバータ８８７により昇圧または降圧がなされる。そして、表示部８８１の動作にバッテリー８８５からの電力が用いられることとなる。
【０３１５】
なお太陽電池８８３については、充電手段の一例として示したが、他の手段によるバッテリー８８５の充電を行う構成であってもよい。また他の充電手段を組み合わせて行う構成としてもよい。
【０３１６】
図３５（Ａ）は、ノート型のパーソナルコンピュータであり、本体８０１、筐体８０２、表示部８０３、キーボード８０４などによって構成されている。実施の形態１乃至実施の形態７のいずれかで示した液晶表示装置を表示部８０３に適用することにより、高コントラストなノート型のパーソナルコンピュータとすることができる。
【０３１７】
図３５（Ｂ）は、携帯情報端末（ＰＤＡ）であり、本体８１１には表示部８１３と、外部インターフェイス８１５と、操作ボタン８１４等が設けられている。また操作用の付属品としてスタイラス８１２がある。実施の形態１乃至実施の形態７のいずれかで示した液晶表示装置を表示部８１３に適用することにより、高コントラストな携帯情報端末（ＰＤＡ）とすることができる。
【０３１８】
図３５（Ｃ）は、図３４（Ａ）とは別の電子書籍の一例を示している。例えば、電子書籍８３０は、筐体８３１および筐体８３３の２つの筐体で構成されている。筐体８３１および筐体８３３は、軸部８３９により一体とされており、該軸部８３９を軸として開閉動作を行うことができる。このような構成により、紙の書籍のような動作を行うことが可能となる。
【０３１９】
筐体８３１には表示部８３５が組み込まれ、筐体８３３には表示部８３７が組み込まれている。表示部８３５および表示部８３７は、続き画面を表示する構成としてもよいし、異なる画面を表示する構成としてもよい。異なる画面を表示する構成とすることで、例えば右側の表示部（図３５（Ｃ）では表示部８３５）に文章を表示し、左側の表示部（図３５（Ｃ）では表示部８３７）に画像を表示することができる。実施の形態１乃至７のいずれかで示した液晶表示装置を表示部８３５、表示部８３７に適用することにより、高コントラストな電子書籍８３０とすることができる。
【０３２０】
また、図３５（Ｃ）では、筐体８３１に操作部などを備えた例を示している。例えば、筐体８３１において、電源８３２、操作キー８３６、スピーカ８３８などを備えている。操作キー８３６により、頁を送ることができる。なお、筐体の表示部と同一面にキーボードやポインティングデバイスなどを備える構成としてもよい。また、筐体の裏面や側面に、外部接続用端子（イヤホン端子、ＵＳＢ端子など）、記録媒体挿入部などを備える構成としてもよい。さらに、電子書籍８３０は、電子辞書としての機能を持たせた構成としてもよい。
【０３２１】
また、電子書籍８３０は、無線で情報を送受信できる構成としてもよい。無線により、電子書籍サーバから、所望の書籍データなどを購入し、ダウンロードする構成とすることも可能である。
【０３２２】
図３５（Ｄ）は、携帯電話であり、筐体８４０及び筐体８４１の二つの筐体で構成されている。筐体８４１には、表示パネル８４２、スピーカ８４３、マイクロフォン８４４、ポインティングデバイス８４６、カメラ用レンズ８４７、外部接続端子８４８などを備えている。また、筐体８４０には、携帯型情報端末の充電を行う太陽電池セル８５０、外部メモリスロット８５１などを備えている。また、アンテナは筐体８４１内部に内蔵されている。実施の形態１乃至実施の形態７のいずれかで示した液晶表示装置を表示パネル８４２に適用することにより、高コントラストな携帯電話とすることができる。
【０３２３】
また、表示パネル８４２はタッチパネルを備えており、図３５（Ｄ）には映像表示されている複数の操作キー８４５を点線で示している。なお、太陽電池セル８５０で出力される電圧を各回路に必要な電圧に昇圧するための昇圧回路も実装している。
【０３２４】
表示パネル８４２は、使用形態に応じて表示の方向が適宜変化する。また、表示パネル８４２と同一面上にカメラ用レンズ８４７を備えているため、テレビ電話が可能である。スピーカ８４３及びマイクロフォン８４４は音声通話に限らず、テレビ電話、録音、再生などが可能である。さらに、筐体８４０と筐体８４１は、スライドし、図３５（Ｄ）のように展開している状態から重なり合った状態とすることができ、携帯に適した小型化が可能である。
【０３２５】
外部接続端子８４８はＡＣアダプタ及びＵＳＢケーブルなどの各種ケーブルと接続可能であり、充電及びパーソナルコンピュータなどとのデータ通信が可能である。また、外部メモリスロット８５１に記録媒体を挿入し、より大量のデータ保存及び移動に対応できる。
【０３２６】
また、上記機能に加えて、赤外線通信機能、テレビ受信機能などを備えたものであってもよい。
【０３２７】
図３５（Ｅ）は、デジタルビデオカメラであり、本体８６１、表示部（Ａ）８６７、接眼部８６３、操作スイッチ８６４、表示部（Ｂ）８６５、バッテリー８６６などによって構成されている。実施の形態１乃至実施の形態７のいずれかで示した液晶表示装置を表示部（Ａ）８６７、表示部（Ｂ）８６５に適用することにより、高コントラストなデジタルビデオカメラとすることができる。
【０３２８】
図３５（Ｆ）は、テレビジョン装置の一例を示している。テレビジョン装置８７０は、筐体８７１に表示部８７３が組み込まれている。表示部８７３により、映像を表示することが可能である。また、ここでは、スタンド８７５により筐体８７１を支持した構成を示している。実施の形態１乃至実施の形態７のいずれかで示した液晶表示装置を表示部８７３に適用することにより、高コントラストなテレビジョン装置８７０とすることができる。
【０３２９】
テレビジョン装置８７０の操作は、筐体８７１が備える操作スイッチや、別体のリモコン操作機８７６により行うことができる。また、リモコン操作機８７６に、当該リモコン操作機８７６から出力する情報を表示する表示部を設ける構成としてもよい。
【０３３０】
なお、テレビジョン装置８７０は、受信機やモデムなどを備えた構成とする。受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０３３１】
図３７に液晶シャッタ眼鏡の一例を示す。図３７の液晶シャッタ眼鏡８９０は、眼鏡のレンズに相当する領域に、右眼用液晶シャッタ８９１と左眼用液晶シャッタ８９２を有する。また、右眼用液晶シャッタ８９１及び左眼用液晶シャッタ８９２は、駆動手段（図示しない）とそれぞれ電気的に接続している。
【０３３２】
右眼用液晶シャッタ８９１及び左眼用液晶シャッタ８９２は、駆動手段を用い、一定の周期で閾値以上の電圧を印加することで、光透過率の高い”開状態”と、光透過率の低い”閉状態”とを交互に実現する。
【０３３３】
駆動手段は、左眼用画像及び右眼用画像を交互に表示する画像表示装置と同期して、画像表示装置が左眼用画像を表示する際に、左眼用液晶シャッタ８９２が”開状態”、かつ右眼用液晶シャッタ８９１が”閉状態”となり、右眼用画像を表示する際に、左眼用液晶シャッタ８９２が”閉状態”、かつ右眼用液晶シャッタ８９１が”開状態”となるように、液晶シャッタ眼鏡８９０を制御することができる。
【０３３４】
このような動作により、液晶シャッタ眼鏡８９０を装着して画像表示装置を見る使用者の左眼には左眼用画像のみ、右眼には右眼用画像のみが入射される。そして、使用者の脳内で左眼用画像及び右眼用画像が合成され、画像表示装置に表示される画像が立体的に認識される。
【０３３５】
実施の形態１乃至実施の形態７のいずれかで示した液晶表示装置を液晶シャッタとして、右眼用液晶シャッタ８９１及び左眼用液晶シャッタ８９２に用いることができる。実施の形態１乃至実施の形態７のいずれかで示した液晶表示装置を液晶シャッタとして、右眼用液晶シャッタ８９１及び左眼用液晶シャッタ８９２に適用することにより、高コントラストな液晶シャッタ眼鏡を得ることができる。
【０３３６】
本実施の形態は、他の実施の形態に記載した構成と適宜組み合わせて実施することが可能である。
【符号の説明】
【０３３７】
４０１    ゲート配線層
４０２    半導体層
４０３    配線層
４０４    配線層
４０５    画素電極
４０６    共通電極
４０７    凸状構造体
４０８    凸状構造体
４０９    容量配線層
４１０    開口部
４１５    画素電極
４１６    共通電極
４２０    トランジスタ
４２５    画素電極
４２６    共通電極
４２７    凸状構造体
４２８    凸状構造体
４３０    トランジスタ
４３３ａ    偏光板
４３３ｂ    偏光板
４３５    画素電極
４３６    共通電極
４４１    基板
４４２    基板
４４３    ゲート絶縁層
４４４    絶縁膜
４４５    絶縁膜
４４６    絶縁層
４４７    液晶層
４４８    導電膜
４５７    凸状構造体
４５８    凸状構造体
４６７    凸状構造体
４６８    凸状構造体
４７５    画素電極
４７６    共通電極
４７７    凸状構造体
４７８    凸状構造体
４８５    画素電極
４８６    共通電極
４８７    凸状構造体
４８８    凸状構造体
４９５    画素電極
４９６    共通電極
４９７    凸状構造体
４９８    凸状構造体
５０５    画素電極
５０６    共通電極
５０７    凸状構造体
５０８    凸状構造体
５１５    画素電極
５１６    共通電極
５１７    凸状構造体
５２５    画素電極
５２６    共通電極
５２７    凸状構造体
５２８    凸状構造体
５３５    画素電極
５３６    共通電極
５４５    画素電極
５４６    共通電極
５４７    凸状構造体
５４８    凸状構造体
５５５    画素電極
５５６    共通電極
５５７    凸状構造体
５６５    画素電極
５６６    共通電極
５６８    凸状構造体
５７５    画素電極
５７６    共通電極
６０５    画素電極
６０６    共通電極
６０７    凸状構造体
６０８    凸状構造体
６１５    画素電極
６１６    共通電極
６１７    凸状構造体
６１８    凸状構造体
６２５    画素電極
６２６    共通電極
６２７    凸状構造体
６２８    凸状構造体
６３５    画素電極
６３６    共通電極
６３７    凸状構造体
６３８    凸状構造体
６４５    画素電極
６４６    共通電極
６４７    凸状構造体
６４８    凸状構造体
６５５    画素電極
６５６    共通電極
６５７    凸状構造体
６５８    凸状構造体
６６５    画素電極
６６６    共通電極
６６７    凸状構造体
６６８    凸状構造体
６７５    画素電極
６７６    共通電極
６７７    凸状構造体
６７８    凸状構造体
７０２    画素部
７０３    信号線駆動回路
７０３ａ    信号線駆動回路
７０３ｂ    信号線駆動回路
７０４    走査線駆動回路
７０５    シール材
７１４    遮光層
７１５    接続端子電極
７１６    端子電極
７１８    ＦＰＣ
７１９    異方性導電膜
７２０    液晶表示パネル
７３０    バックライト部
７３２    バックライト
７３３    発光素子
７３３Ｂ    ＬＥＤ
７３３Ｇ    ＬＥＤ
７３３Ｒ    ＬＥＤ
７３４    拡散板
７３５    光
７９０    液晶表示モジュール
８０１    本体
８０２    筐体
８０３    表示部
８０４    キーボード
８１１    本体
８１２    スタイラス
８１３    表示部
８１４    操作ボタン
８１５    外部インターフェイス
８３０    電子書籍
８３１    筐体
８３２    電源
８３３    筐体
８３５    表示部
８３６    操作キー
８３７    表示部
８３８    スピーカ
８３９    軸部
８４０    筐体
８４１    筐体
８４２    表示パネル
８４３    スピーカ
８４４    マイクロフォン
８４５    操作キー
８４６    ポインティングデバイス
８４７    カメラ用レンズ
８４８    外部接続端子
８５０    太陽電池セル
８５１    外部メモリスロット
８６１    本体
８６３    接眼部
８６４    操作スイッチ
８６５    表示部（Ｂ）
８６６    バッテリー
８６７    表示部（Ａ）
８７０    テレビジョン装置
８７１    筐体
８７３    表示部
８７５    スタンド
８７６    リモコン操作機
８８０    筐体
８８１    表示部
８８２    操作キー
８８３    太陽電池
８８４    充放電制御回路
８８５    バッテリー
８８６    コンバータ
８８７    コンバータ
８９０    液晶シャッタ眼鏡
８９１    右眼用液晶シャッタ
８９２    左眼用液晶シャッタ
９０１    立ち上がり時間
９０２    立ち下がり時間
９０３    立ち上がり時間
９０４    立ち下がり時間
【図１】
0005977501.tif 000002
【図２】
0005977501.tif 000003
【図３】
0005977501.tif 000004
【図４】
0005977501.tif 000005
【図５】
0005977501.tif 000006
【図６】
0005977501.tif 000007
【図７】
0005977501.tif 000008
【図８】
0005977501.tif 000009
【図９】
0005977501.tif 000010
【図１０】
0005977501.tif 000011
【図１１】
0005977501.tif 000012
【図１２】
0005977501.tif 000013
【図１３】
0005977501.tif 000014
【図１４】
0005977501.tif 000015
【図１５】
0005977501.tif 000016
【図１６】
0005977501.tif 000017
【図１７】
0005977501.tif 000018
【図１８】
0005977501.tif 000019
【図１９】
0005977501.tif 000020
【図２０】
0005977501.tif 000021
【図２１】
0005977501.tif 000022
【図２２】
0005977501.tif 000023
【図２３】
0005977501.tif 000024
【図２４】
0005977501.tif 000025
【図２５】
0005977501.tif 000026
【図２６】
0005977501.tif 000027
【図２７】
0005977501.tif 000028
【図２８】
0005977501.tif 000029
【図２９】
0005977501.tif 000030
【図３０】
0005977501.tif 000031
【図３１】
0005977501.tif 000032
【図３２】
0005977501.tif 000033
【図３３】
0005977501.tif 000034
【図３４】
0005977501.tif 000035
【図３５】
0005977501.tif 000036
【図３６】
0005977501.tif 000037
【図３７】
0005977501.tif 000038
【図３８】
0005977501.tif 000039
【図３９】
0005977501.tif 000040